(57)【要約】  無線通信システムにおいてソースセルからターゲットセルへのハンドオーバを実施するための、無線通信デバイスの動作の方法が提供される。無線通信デバイスは、各ネイバーセルについて、ネイバーセルのための追跡されたビームのリストを与えるために、１つまたは複数のネイバーセルについてビーム追跡プロシージャを実施する（２０２）。無線通信デバイスは、ソース無線アクセスノードによってサービングされるソースセルからターゲット無線アクセスノードによってサービングされるターゲットセルへのハンドオーバを実施するように無線通信デバイスに命令する、ソース無線アクセスノードからのハンドオーバコマンドを受信する（２１２）。ターゲットセルは、ビーム追跡プロシージャがそれについて実施される１つまたは複数のネイバーセルのうちの１つである。無線通信デバイスは、次いで、ランダムアクセスリソース設定および／または品質しきい値に基づいて、ターゲットセルのための追跡されたビームのリストからターゲットセルのビームを選択する（２１４）。無線通信デバイスは、次いで、選択されたビーム上でランダムアクセスを実施する（２１６）。【選択図】図５ａ
2020526082.tif 000002
【特許請求の範囲】
【請求項１】
無線通信システム（１０）においてソースセルからターゲットセルへのハンドオーバを実施するための、無線通信デバイス（１２）の動作の方法であって、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すること（２１２、３０６、４０６）であって、前記ターゲットセル（セルＢ）は、前記ビーム追跡プロシージャがそれについて実施される前記１つまたは複数のネイバーセルのうちの１つである、ハンドオーバコマンドを受信すること（２１２、３０６、４０６）と、
ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を含む、方法。
【請求項２】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を含む、請求項１に記載の方法。
【請求項３】
前記ｋ番目の最良のビームの前記品質が前記しきい値よりも大きい場合、前記選択されたビーム上でランダムアクセスを実施すること（２１６、３１０、３１４、３２０、３２２、４１０、４１４、４１８、４２０）が、前記ｋ番目の最良のビームの前記専用ランダムアクセスチャネルリソースを使用して前記ｋ番目の最良のビーム上で無競合ランダムアクセスを実施すること（４１８）を含む、請求項２に記載の方法。
【請求項４】
前記ｋ番目の最良のビームの前記品質が前記しきい値よりも大きくない場合、前記選択されたビーム上でランダムアクセスを実施すること（２１６、３１０、３１４、３２０、３２２、４１０、４１４、４１８、４２０）が、前記最良のビームの競合ベースランダムアクセスチャネルリソースを使用して前記最良のビーム上で前記競合ベースランダムアクセスを実施すること（４２０）を含む、請求項２または３に記載の方法。
【請求項５】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
専用ランダムアクセスチャネルリソースが、前記ターゲットセルのための追跡されたビームの前記リスト中の前記ビームのいずれについても、無競合ランダムアクセスのために割り当てられない場合、前記ターゲットセル（セルＢ）のための追跡されたビームの前記リスト中の前記最良のビームを選択すること（３０８、４０８）
を含む、請求項１から４のいずれか一項に記載の方法。
【請求項６】
前記選択されたビーム上でランダムアクセスを実施すること（２１６、３１０、３１４、３２０、３２２、４１０、４１４、４１８、４２０）が、前記最良のビームの競合ベースランダムアクセスチャネルリソースを使用して前記最良のビーム上で競合ベースランダムアクセスを実施すること（３１０、４１０）を含む、請求項５に記載の方法。
【請求項７】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
専用ランダムアクセスチャネルリソースが、前記ターゲットセルのための追跡されたビームの前記リスト中の前記最良のビームについて、無競合ランダムアクセスのために割り当てられる場合、前記ターゲットセル（セルＢ）のための追跡されたビームの前記リスト中の前記最良のビームを選択すること（３０８、４０８）
を含む、請求項１から６のいずれか一項に記載の方法。
【請求項８】
前記選択されたビーム上でランダムアクセスを実施すること（２１６、３１０、３１４、３２０、３２２、４１０、４１４、４１８、４２０）が、前記最良のビームの前記専用ランダムアクセスチャネルリソースを使用して前記最良のビーム上で無競合ランダムアクセスを実施すること（３１４、４１４）を含む、請求項７に記載の方法。
【請求項９】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
前記ターゲットセル（セルＢ）のための追跡されたビームの前記リスト中の前記最良のビームについて、無競合ランダムアクセスのために割り当てられた専用ランダムアクセスチャネルリソースがないと決定すること（ステップ３１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中の前記最良のビームの品質と、前記ターゲットセル（セルＢ）のための追跡されたビームの前記リスト中のｋ番目の最良のビームの品質との間の差異を決定すること（３１６）であって、前記ｋ番目の最良のビームは、専用ランダムアクセスチャネルリソースが割り当てられたビームである、差異を決定すること（３１６）と、
前記差異がしきい値よりも小さいかどうかを決定すること（３１８）であって、前記差異が前記しきい値よりも小さい場合、前記ターゲットセルの前記選択されたビームが前記ｋ番目の最良のビームである、前記差異がしきい値よりも小さいかどうかを決定すること（３１８）と
を含む、請求項１および５から８のいずれか一項に記載の方法。
【請求項１０】
前記差異が前記しきい値よりも小さい場合、前記選択されたビーム上でランダムアクセスを実施すること（２１６、３１０、３１４、３２０、３２２、４１０、４１４、４１８、４２０）が、前記ｋ番目の最良のビームの前記専用ランダムアクセスチャネルリソースを使用して前記ｋ番目の最良のビーム上で無競合ランダムアクセスを実施すること（３２０）を含む、請求項９に記載の方法。
【請求項１１】
前記差異が前記しきい値よりも小さくない場合、前記選択されたビーム上でランダムアクセスを実施すること（２１６、３１０、３１４、３２０、３２２、４１０、４１４、４１８、４２０）が、前記最良のビームの前記競合ベースランダムアクセスチャネルリソースを使用して前記最良のビーム上で競合ベースランダムアクセスを実施すること（３２２）を含む、請求項９または１０に記載の方法。
【請求項１２】
前記品質しきい値が、相対品質しきい値および絶対品質しきい値のうちのいずれか１つである、請求項１から１１のいずれか一項に記載の方法。
【請求項１３】
無線通信システム（１０）においてソースセルからターゲットセルへのハンドオーバを実施する無線通信デバイス（１２）であって、前記無線通信デバイス（１２）は、
各ネイバーセルについて、前記ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信することであって、前記ターゲットセル（セルＢ）は、前記ビーム追跡プロシージャがそれについて実施される前記１つまたは複数のネイバーセルのうちの１つである、ハンドオーバコマンドを受信することと、
ランダムアクセスリソース設定および／または品質しきい値に基づいて、前記ターゲットセル（セルＢ）のための追跡されたビームの前記リストから前記ターゲットセル（セルＢ）のビームを選択することと、
前記選択されたビーム上でランダムアクセスを実施することと
を行うように適合された、無線通信デバイス（１２）。
【請求項１４】
前記無線通信デバイス（１２）は、
前記ターゲットセル（セルＢ）のための追跡されたビームの前記リスト中の最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定することであって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定することと
によって、前記ターゲットセル（セルＢ）のための追跡されたビームの前記リストから前記ターゲットセル（セルＢ）の前記ビームを選択するようにさらに適応された、請求項１３に記載の無線通信デバイス（１２）。
【請求項１５】
前記無線通信デバイス（１２）は、前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施することによって、前記選択されたビーム上でランダムアクセスを実施するようにさらに適合された、請求項１４に記載の無線通信デバイス（１２）。
【請求項１６】
前記無線通信デバイス（１２）は、前記ｋ番目の最良のビームの前記品質が前記しきい値よりも大きくない場合、前記最良のビームの前記競合ベースランダムアクセスチャネルリソースを使用して前記最良のビーム上で競合ベースランダムアクセスを実施すること（４２０）によって、前記選択されたビーム上でランダムアクセスを実施するようにさらに適合された、請求項１４または１５に記載の無線通信デバイス（１２）。
【請求項１７】
前記無線通信デバイス（１２）は、
専用ランダムアクセスチャネルリソースが、前記ターゲットセルのための追跡されたビームの前記リスト中の前記ビームのいずれについても、無競合ランダムアクセスのために割り当てられない場合、前記ターゲットセル（セルＢ）のための追跡されたビームの前記リスト中の前記最良のビームを選択すること
によって、前記ターゲットセル（セルＢ）のための追跡されたビームの前記リストから前記ターゲットセル（セルＢ）の前記ビームを選択するようにさらに適合された、請求項１３から１６のいずれか一項に記載の無線通信デバイス（１２）。
【請求項１８】
前記無線通信デバイス（１２）が、前記最良のビームの競合ベースランダムアクセスチャネルリソースを使用して前記最良のビーム上で競合ベースランダムアクセスを実施することによって、前記選択されたビーム上でランダムアクセスを実施するようにさらに適合された、請求項１７に記載の無線通信デバイス（１２）。
【請求項１９】
前記無線通信デバイス（１２）は、
専用ランダムアクセスチャネルリソースが、前記ターゲットセルのための追跡されたビームの前記リスト中の前記最良のビームについて、無競合ランダムアクセスのために割り当てられる場合、前記ターゲットセル（セルＢ）のための追跡されたビームの前記リスト中の前記最良のビームを選択すること
によって、前記ターゲットセル（セルＢ）のための追跡されたビームの前記リストから前記ターゲットセル（セルＢ）の前記ビームを選択するようにさらに適合された、請求項１３から１８のいずれか一項に記載の無線通信デバイス（１２）。
【請求項２０】
前記無線通信デバイス（１２）が、前記最良のビームの前記専用ランダムアクセスチャネルリソースを使用して前記最良のビーム上で無競合ランダムアクセスを実施することによって、前記選択されたビーム上でランダムアクセスを実施するようにさらに適合された、請求項１９に記載の無線通信デバイス（１２）。
【請求項２１】
前記無線通信デバイス（１２）は、
前記ターゲットセル（セルＢ）のための追跡されたビームの前記リスト中の前記最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中の前記最良のビームの品質と、前記ターゲットセル（セルＢ）のための追跡されたビームの前記リスト中のｋ番目の最良のビームの品質との間の差異を決定することであって、前記ｋ番目の最良のビームは、専用ランダムアクセスチャネルリソースが割り当てられたビームである、差異を決定することと、
前記差異がしきい値よりも小さいかどうかを決定することであって、前記差異が前記しきい値よりも小さい場合、前記ターゲットセルの前記選択されたビームが前記ｋ番目の最良のビームである、前記差異がしきい値よりも小さいかどうかを決定することと
によって、前記ターゲットセル（セルＢ）のための追跡されたビームの前記リストから前記ターゲットセル（セルＢ）の前記ビームを選択するようにさらに適合された、請求項１３、および１７から２０のいずれか一項に記載の無線通信デバイス（１２）。
【請求項２２】
前記無線通信デバイス（１２）は、前記差異が前記しきい値よりも小さい場合、前記ｋ番目の最良のビームの前記専用ランダムアクセスチャネルリソースを使用して前記ｋ番目の最良のビーム上で無競合ランダムアクセスを実施することによって、前記選択されたビーム上でランダムアクセスを実施するようにさらに適合された、請求項２１に記載の無線通信デバイス（１２）。
【請求項２３】
前記無線通信デバイス（１２）は、前記差異が前記しきい値よりも小さくない場合、前記最良のビームの前記競合ベースランダムアクセスチャネルリソースを使用して前記最良のビーム上で競合ベースランダムアクセスを実施することによって、前記選択されたビーム上でランダムアクセスを実施するようにさらに適合された、請求項２１または２２に記載の無線通信デバイス（１２）。
【請求項２４】
前記品質しきい値が、相対品質しきい値および絶対品質しきい値のうちのいずれか１つである、請求項１３から２３のいずれか一項に記載の無線通信デバイス（１２）。
【請求項２５】
無線通信デバイス（１２）であって、
少なくとも１つの送信機（２８）および少なくとも１つの受信機（３０）と
前記少なくとも１つの送信機（２８）および前記少なくとも１つの受信機（３０）に関連する回路要素（２０）と
を備え、前記回路要素（２０）は、
各ネイバーセルについて、前記ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信することであって、前記ターゲットセル（セルＢ）は、前記ビーム追跡プロシージャがそれについて実施される前記１つまたは複数のネイバーセルのうちの１つである、ハンドオーバコマンドを受信することと、
ランダムアクセスリソース設定および／または品質しきい値に基づいて、前記ターゲットセル（セルＢ）のための追跡されたビームの前記リストから前記ターゲットセル（セルＢ）のビームを選択することと、
前記選択されたビーム上でランダムアクセスを実施することと
を行うように動作可能である、
無線通信デバイス（１２）。
【請求項２６】
前記品質しきい値が、相対品質しきい値および絶対品質しきい値のうちのいずれか１つである、請求項２５に記載の無線通信デバイス（１２）。
【請求項２７】
回路要素（２０）が、請求項１から１２のいずれか一項に記載の方法を実施するようにさらに動作可能である、請求項２５または２６に記載の無線通信デバイス（１２）。
【請求項２８】
無線通信システム（１０）においてソースセルからターゲットセルへのハンドオーバ（たとえば、無線アクセスノード間ハンドオーバ）を実施する無線通信デバイス（１２）であって、
各ネイバーセルについて、前記ネイバーセルのための追跡されたビームのリストを与えるために、１つまたは複数のネイバーセルについてビーム追跡プロシージャを実施するように動作可能なビーム追跡プロシージャ実施モジュール（３４）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信するように動作可能な受信モジュール（３４）であって、前記ターゲットセル（セルＢ）は、前記ビーム追跡プロシージャがそれについて実施される前記１つまたは複数のネイバーセルのうちの１つである、受信モジュール（３４）と、
ランダムアクセスリソース設定および／または品質しきい値に基づいて、前記ターゲットセル（セルＢ）のための追跡されたビームの前記リストから前記ターゲットセル（セルＢ）のビームを選択するように動作可能な選択モジュール（３４）と、
前記選択されたビーム上でランダムアクセスを実施するように動作可能なランダムアクセス実施モジュール（３４）と
を備える、無線通信デバイス（１２）。
【請求項２９】
前記品質しきい値が、相対品質しきい値および絶対品質しきい値のうちのいずれか１つである、請求項２８に記載の無線通信デバイス（１２）。
【請求項３０】
少なくとも１つのプロセッサ上で実行されたとき、前記少なくとも１つのプロセッサに、請求項１から１２のいずれか一項に記載の方法を行わせる命令を備える、コンピュータプログラム。
【請求項３１】
請求項３０に記載のコンピュータプログラムを含んでいるキャリアであって、前記キャリアが、電子信号、光信号、無線信号、またはコンピュータ可読記憶媒体のうちの１つである、キャリア。
【請求項３２】
無線通信システム（１０）においてソースセルからターゲットセルへの無線通信デバイス（１２）のハンドオーバを実施するための、無線アクセスノード（１４）の動作の方法であって、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線デバイス（１２）を設定する、方法。
【請求項３３】
前記ターゲットセル（セルＢ）のための追跡されたビームの前記リストから前記ターゲットセル（セルＢ）の前記ビームを選択する（２１４、３０６、３０８、３１２、３１６、３１８、４０６、４０８、４１２、４１６）ように前記無線通信デバイス（１２）を設定することは、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を行うように前記無線通信デバイス（１２）を設定することをさらに含む、請求項３２に記載の方法。
【請求項３４】
前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施すること（４１８）によって、前記選択されたビーム上でランダムアクセスを実施する（２１６、３１０、３１４、３２０、３２２、４１０、４１４、４１８、４２０）ように前記無線通信デバイス（１２）を設定することをさらに含む、請求項３３に記載の方法。
【請求項３５】
前記ｋ番目の最良のビームの前記品質が前記しきい値よりも大きくない場合、前記最良のビームの競合ベースランダムアクセスチャネルリソースを使用して前記最良のビーム上で前記競合ベースランダムアクセスを実施すること（４２０）によって、前記選択されたビーム上でランダムアクセスを実施する（２１６、３１０、３１４、３２０、３２２、４１０、４１４、４１８、４２０）ように前記無線通信デバイス（１２）を設定することをさらに含む、請求項３３または３４に記載の方法。
【請求項３６】
無線通信システム（１０）においてソースセルからターゲットセルへの無線通信デバイス（１２）のハンドオーバを実施する無線アクセスノード（１４）であって、前記無線アクセスノード（１４）が、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線通信デバイス（１２）を設定するように適合された、無線アクセスノード（１４）。
【請求項３７】
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を行うように前記無線通信デバイス（１２）を設定することによって、前記ターゲットセル（セルＢ）のための追跡されたビームの前記リストから前記ターゲットセル（セルＢ）の前記ビームを選択する（２１４、３０６、３０８、３１２、３１６、３１８、４０６、４０８、４１２、４１６）ように前記無線通信デバイス（１２）を設定するようにさらに適合された、請求項３６に記載の無線アクセスノード（１４）。
【請求項３８】
前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施すること（４１８）によって、前記選択されたビーム上でランダムアクセスを実施する（２１６、３１０、３１４、３２０、３２２、４１０、４１４、４１８、４２０）ように前記無線通信デバイス（１２）を設定するようにさらに適合された、請求項３７に記載の無線アクセスノード（１４）。
【請求項３９】
前記ｋ番目の最良のビームの前記品質が前記しきい値よりも大きくない場合、前記最良のビームの前記競合ベースランダムアクセスチャネルリソースを使用して前記最良のビーム上で競合ベースランダムアクセスを実施すること（４２０）によって、前記選択されたビーム上でランダムアクセスを実施する（２１６、３１０、３１４、３２０、３２２、４１０、４１４、４１８、４２０）ように前記無線通信デバイス（１２）を設定するようにさらに適合された、請求項３７または３８に記載の無線アクセスノード（１４）。
【請求項４０】
無線アクセスノード（１４）であって、
少なくとも１つの送信機（４８）および少なくとも１つの受信機（５０）と、
前記少なくとも１つの送信機（４８）および前記少なくとも１つの受信機（５０）に関連する回路要素と
を備え、前記回路要素が、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線通信デバイス（１２）を設定するように動作可能である、無線アクセスノード（１４）。
【請求項４１】
回路要素（２０）が、請求項３２から３５のいずれか一項に記載の方法を実施するようにさらに動作可能である、請求項４０に記載の無線アクセスノード（１４）。
【発明の詳細な説明】
【技術分野】
【０００１】
本明細書の実施形態は、無線通信デバイスおよび無線通信デバイスにおける方法に関する。特に、本明細書の実施形態は、無線通信システムにおいてソースセルからターゲットセルへのハンドオーバを実施するように無線通信デバイスを動作させることに関する。
【背景技術】
【０００２】
第３世代パートナーシッププロジェクト（３ＧＰＰ）技術仕様（ＴＳ）３８．３００  Ｖ０．４．１において、新しい無線（ＮＲ）ハンドオーバ機構は、下記のように説明される。
【０００３】
ネットワーク制御されたモビリティが、ＲＲＣ＿ＣＯＮＮＥＣＴＥＤにあるユーザ機器デバイス（ＵＥ）に適用され、モビリティの２つのタイプ、すなわちセルレベルモビリティおよびビームレベルモビリティにカテゴリー分類される。本明細書で使用されるビームは、セル内で送信される参照信号であり、すなわち、ビームと呼ばれる異なる参照信号の組合せに基づいて、セルカバレッジが取得され得る。
【０００４】
セルレベルモビリティは、明示的無線リソース制御（ＲＲＣ：Ｒａｄｉｏ  Ｒｅｓｏｕｒｃｅ  Ｃｏｎｔｒｏｌ）シグナリングがトリガされること、すなわちハンドオーバを必要とする。ソースｇＮＢからターゲットｇＮＢへのＮＲ基地局（ｇＮＢ）間ハンドオーバのために、シグナリングプロシージャは、図１に示されている少なくとも以下の基本的な構成要素を含む。
【０００５】
ソースｇＮＢは、ハンドオーバを始動し、１００において、Ｘｎインターフェースを介してターゲットｇＮＢにハンドオーバ要求を発行する。Ｘｎインターフェースは、ｇＮＢ間のインターフェースである。
【０００６】
ターゲットｇＮＢは、１０２において、アドミッション制御を実施し、１０４において、ハンドオーバ肯定応答の一部としてＲＲＣ設定を与える。アドミッション制御は、通信システムにおける確認プロセスであり、確認プロセスでは、確立されるべき接続について許可がグラントされる前に、ｇＮＢにおける利用可能なリソースが、提案された接続のために十分であるように、検査が実施される。ＲＲＣ設定は、ｇＮＢにアクセスするために必要とされるパラメータ、ｇＮＢにおいて使用されるべきユーザおよび制御プレーンの設定を備える。
【０００７】
ソースｇＮＢは、１０６において、ハンドオーバコマンド中でＵＥにＲＲＣ設定を転送する。ハンドオーバコマンドメッセージは、少なくともセル識別情報（ＩＤ）とターゲットセルにアクセスするために必要とされる情報とを含み、その結果、ＵＥは、ターゲットセルによってブロードキャストされたシステム情報を読み取ることなしに、ターゲットセルにアクセスし得る。いくつかの場合には、競合ベースおよび無競合（ｃｏｎｔｅｎｔｉｏｎ−ｆｒｅｅ）ランダムアクセスのために必要とされる情報が、ハンドオーバコマンドメッセージ中に含まれ得る。ターゲットセルへのアクセス情報は、もしあれば、ビーム固有の情報を含み得る。
【０００８】
ＵＥは、１０８において、ＲＲＣ接続をターゲットｇＮＢに移動することによって新しいセルに切り替わり、１１０において、ハンドオーバ完了を返答する。
【０００９】
さらに、ＲＡＮ２＃９７ｂｉｓ会議において、ステップ３とステップ４との間のプロシージャのための以下のさらなる同意がある。
2020526082.tif 000003
【発明の概要】
【００１０】
同意１ｂに従って、ＵＥは、ターゲットセルのすべてのビームから好適なビームを選択しなければならない。しかしながら、ＵＥが好適なビームをどのように選択するかの詳細は規定されておらず、この選択を完全にＵＥ実装形態に委ねることは、次のような問題がある。
ＵＥは、不十分な品質をもつビームを選択することがある。
ネットワークは、ＵＥがランダムアクセス、すなわち無競合ランダムアクセス（ＣＦＲＡ）プロシージャ中に使用すべき、指定されたプリアンブルを割り当て得る。現在の合意によれば、ＵＥは、このビームを選択しないことを選定し得、その場合、そのようなプリアンブルの予約は浪費であり、ターゲットセルにおけるランダムアクセスの成功に影響が及ぼされることがある。
【００１１】
したがって、本明細書の実施形態の目的は、無線通信システムのハンドオーバ性能を改善することである。
【００１２】
本明細書の実施形態の第１の態様によれば、目的は、無線通信システムにおいてソースセルからターゲットセルへのハンドオーバを実施するための、無線通信デバイスの動作の方法によって達成される。無線通信デバイスは、各ネイバーセルについて、ネイバーセルのための追跡されたビームのリストを与えるために、１つまたは複数のネイバーセルについてビーム追跡プロシージャを実施する。無線通信デバイスは、ソース無線アクセスノードによってサービングされるソースセルからターゲット無線アクセスノードによってサービングされるターゲットセルへのハンドオーバを実施するように無線通信デバイスに命令する、ソース無線アクセスノードからのハンドオーバコマンドを受信する。ターゲットセルは、ビーム追跡プロシージャがそれについて実施される１つまたは複数のネイバーセルのうちの１つである。無線通信デバイスは、次いで、ランダムアクセスリソース設定および／あるいは相対または絶対品質しきい値に基づいて、ターゲットセルのための追跡されたビームのリストからターゲットセルのビームを選択する。無線通信デバイスは、次いで、選択されたビーム上でランダムアクセスを実施する。
【００１３】
本明細書の実施形態の第２の態様によれば、目的は、無線通信システムにおいてソースセルからターゲットセルへのハンドオーバを実施する無線通信デバイスによって達成される。無線通信デバイスは、以下を行うように適合される。
−  各ネイバーセルについて、ネイバーセルのための追跡されたビームのリストを与えるために、１つまたは複数のネイバーセルについてビーム追跡プロシージャを実施すること、
−  ソース無線アクセスノードによってサービングされるソースセルからターゲット無線アクセスノードによってサービングされるターゲットセルへのハンドオーバを実施するように無線通信デバイスに命令する、ソース無線アクセスノードからのハンドオーバコマンドを受信することであって、ターゲットセルは、ビーム追跡プロシージャがそれについて実施される１つまたは複数のネイバーセルのうちの１つである、ハンドオーバコマンドを受信すること、
−  ランダムアクセスリソース設定および／あるいは相対または絶対品質しきい値に基づいて、ターゲットセルのための追跡されたビームのリストからターゲットセルのビームを選択すること、ならびに
−  選択されたビーム上でランダムアクセスを実施すること。
【００１４】
本明細書の実施形態の第３の態様によれば、目的は、無線通信システムにおいてソースセルからターゲットセルへの無線通信デバイスのハンドオーバを実施するための、無線アクセスノードの動作の方法によって達成される。無線アクセスノードは、以下を行うように無線デバイスを設定する。
各ネイバーセルについて、ネイバーセルのための追跡されたビームのリストを与えるために、１つまたは複数のネイバーセルについてビーム追跡プロシージャを実施すること、
ソース無線アクセスノードによってサービングされるソースセルからターゲット無線アクセスノードによってサービングされるターゲットセルへのハンドオーバを実施するように無線通信デバイスに命令する、ソース無線アクセスノードからのハンドオーバコマンドを受信すると、ランダムアクセスリソース設定および／または品質しきい値に基づいて、ターゲットセルのための追跡されたビームのリストからターゲットセル（セルＢ）のビームを選択すること、ならびに
選択されたビーム上でランダムアクセスを実施すること。
【００１５】
本明細書の実施形態の第４の態様によれば、目的は、無線通信システムにおいてソースセルからターゲットセルへの無線通信デバイスのハンドオーバを実施するための無線アクセスノードによって達成される。無線アクセスノードは、以下を行うように無線通信デバイスを設定するように適合される。
各ネイバーセルについて、ネイバーセルのための追跡されたビームのリストを与えるために、１つまたは複数のネイバーセルについてビーム追跡プロシージャを実施すること、
ソース無線アクセスノードによってサービングされるソースセルからターゲット無線アクセスノードによってサービングされるターゲットセルへのハンドオーバを実施するように無線通信デバイスに命令する、ソース無線アクセスノードからのハンドオーバコマンドを受信すると、ランダムアクセスリソース設定および／または品質しきい値に基づいて、ターゲットセルのための追跡されたビームのリストからターゲットセルのビームを選択すること、ならびに
選択されたビーム上でランダムアクセスを実施すること。
【００１６】
本明細書に組み込まれ、本明細書の一部をなす添付の図面は、本開示のいくつかの態様を示し、説明とともに本開示の原理について解説する役割を果たす。
【図面の簡単な説明】
【００１７】
【図１】第５世代（５Ｇ）ＮＲにおけるｇＮＢ間ハンドオーバを示す概略シーケンス図である。
【図２】本開示の実施形態が実装され得る無線通信システムの一例を示す概略図である。
【図３ａ】本開示のいくつかの実施形態による、ビームベースハンドオーバプロシージャを示す概略シーケンス図である。
【図３ｂ】無線通信デバイスにおける方法の実施形態を示すフローチャートである。
【図４】本開示のいくつかの実施形態による、ビームベースハンドオーバを実施するための、無線通信デバイスの動作を示すフローチャートである。
【図５ａ】本開示のいくつかの他の実施形態による、ビームベースハンドオーバを実施するための、無線通信デバイスの動作を示すフローチャートである。
【図５ｂ】無線通信デバイスにおける方法の実施形態を示すフローチャートである。
【図６】無線通信デバイスの例示的な実施形態を示す概略図である。
【図７】無線通信デバイスの例示的な実施形態を示す概略図である。
【図８】ネットワークノードの例示的な実施形態を示す概略図である。
【図９】ネットワークノードの例示的な実施形態を示す概略図である。
【図１０】ネットワークノードの例示的な実施形態を示す概略図である。
【発明を実施するための形態】
【００１８】
本明細書の例は、アクティブモードモビリティと、ＮＲにおけるネットワーク制御されたビームベースハンドオーバなどのビームベースハンドオーバとに関する。
【００１９】
本明細書の実施形態による、ターゲットセルへのアクセスを実施するためのビームのＵＥの選択に関する不確実性の問題は、好適なビームを選択するときの、無線通信デバイスなど、ＵＥの挙動を指定すること、および／またはビーム選択を案内するための１つまたは複数の好適な品質しきい値を与えることによって、解決され得る。潜在的しきい値は、好適なビームを選択するための最小しきい値と、ＣＦＲＡリソースをもつビームと好適なビームとの間の最大許容品質差異のためのしきい値とを含む。
【００２０】
本明細書の実施形態は、ネットワークの観点から少なくとも最小品質要件を満たす一貫した様式でビームを選択することになる、無線通信デバイス実装形態などのＵＥ実装形態を提供する。これは結局、ハンドオーバ性能の向上につながることになる。
【００２１】
以下に記載される実施形態は、当業者が本実施形態を実践することができるようにするための情報を表し、本実施形態を実践する最良の様式を示す。添付の図面に照らして以下の説明を読むと、当業者は、本開示の概念を理解し、本明細書では特に扱われないこれらの概念の適用例を認識されよう。これらの概念および適用例は、本開示の範囲内に入ることを理解されたい。
無線ノード：本明細書で使用される「無線ノード」は、無線アクセスノードまたは無線デバイスのいずれかである。
無線アクセスノード：本明細書で使用される「無線アクセスノード」または「無線ネットワークノード」は、信号を無線で送信および／または受信するように動作する、セルラー通信ネットワークの無線アクセスネットワークにおける何らかのノードである。無線アクセスノードのいくつかの例は、限定はしないが、基地局（たとえば、３ＧＰＰ  ５Ｇ  ＮＲネットワークにおけるｇＮＢ、あるいは３ＧＰＰ  Ｌｏｎｇ  Ｔｅｒｍ  Ｅｖｏｌｕｔｉｏｎ（ＬＴＥ）ネットワークにおける拡張またはエボルブドノードＢ（ｅＮＢ））と、高電力またはマクロ基地局と、低電力基地局（たとえば、マイクロ基地局、ピコ基地局、ホームｅＮＢなど）と、リレーノードとを含む。
コアネットワークノード：本明細書で使用される「コアネットワークノード」は、コアネットワークにおける何らかのタイプのノードである。コアネットワークノードのいくつかの例は、たとえば、モビリティ管理エンティティ（ＭＭＥ）、パケットデータネットワークゲートウェイ（Ｐ−ＧＷ）、サービス能力公開機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）などを含む。
無線デバイス：本明細書で使用される「無線デバイス」は、（１つまたは複数の）無線アクセスノードに対して信号を無線で送信および／または受信することによって、セルラー通信ネットワークへのアクセスを有する（すなわち、セルラー通信ネットワークによってサービングされる）何らかのタイプのデバイスである。無線デバイスのいくつかの例は、限定はしないが、３ＧＰＰネットワークにおけるＵＥと、マシン型通信（ＭＴＣ）デバイスとを含む。
ネットワークノード：本明細書で使用される「ネットワークノード」は、セルラー通信ネットワーク／システムの無線アクセスネットワークまたはコアネットワークのいずれかの一部である何らかのノードである。
本明細書で与えられる説明は３ＧＰＰセルラー通信システムに焦点を当て、したがって、３ＧＰＰ用語または３ＧＰＰ用語に類似した用語がしばしば使用されることに留意されたい。しかしながら、本明細書で開示される概念は、３ＧＰＰシステムに限定されない。
本明細書の説明では、「セル」という用語に対して、参照が行われ得ることに留意されたい。しかしながら、特に５Ｇ  ＮＲ概念に関して、ビームがセルの代わりに使用されることがあり、したがって、本明細書で説明される概念は、セルとビームの両方に等しく適用可能であることに留意することが重要である。
【００２２】
この点について、図２は、本開示の実施形態が実装され得る、無線通信システム１０の一例を示す。無線通信システム１０は、好ましくは３ＧＰＰ  ５Ｇ  ＮＲシステムであるが、それに限定されない。図示のように、無線通信システム１０は、本明細書ではＵＥとも呼ばれる、いくつかの無線通信デバイス１２を含む。さらに、無線通信システム１０は、対応するカバレッジエリアまたはセル１６をビームによってサービングする、いくつかの無線アクセスノード１４（たとえば、ｇＮＢ）を含む、無線アクセスネットワークを含む。無線アクセスノード１４は、当業者によって諒解されるように、いくつかのコアネットワークノードを含むコアネットワーク１８に接続される。
【００２３】
図３ａは、本開示のいくつかの実施形態による無線アクセスノード間、たとえば、ｇＮＢ間ハンドオーバを実施するための、無線通信デバイス１２および無線アクセスノード１４の動作を示す。この例では、（セルＡと呼ばれる）セル１６−Ａをサービングしているソースまたはサービング無線アクセスノード１４−Ａから、（セルＢと呼ばれる）セル１６−Ｂをサービングしているターゲットまたはネイバー無線アクセスノード１４−Ｂへのハンドオーバが実施される随意のステップが、破線によって指示される。また、ステップは、図３ａにおいて特定の順序で実施されるものとして示されているが、ステップの順序は、特定の実装形態に応じて変化し得る。
【００２４】
図示のように、サービングおよび／またはソース無線アクセスノード１４−Ａは、随意に、無線通信デバイス１２にビーム関係測定設定を送る（ステップ２００）。ビーム関係測定設定は以下を含み得る。
無線通信デバイス１２がビーム追跡プロシージャをそれについて実施することになる、１つまたは複数のセルを指示する情報。この情報は、たとえば以下を含み得る。
無線通信デバイス１２がビーム追跡プロシージャをそれについて実施することになる、セルのリスト、または
無線通信デバイス１２がビーム追跡を、無線通信デバイス１２によって検出された任意のセルについて実施することになることを指示する、インジケータ。
たとえば、使用されるものとする任意のしきい値など、どの状態の下で無線通信デバイス１２がビーム追跡プロシージャを実施するものとするか。
【００２５】
これは、サービングセルによって設定されるようなイベントに対する、相対しきい値であり得る。たとえば、Ａ３イベント固有のしきい値が５デシベル（ｄＢ）である場合、無線通信デバイス１２は、ネイバーセル（セルＢ）についてのビーム追跡を、それがサービングセルの１５ｄＢ、すなわち１０ｄＢの追加オフセット内に来るとき、始める。ネイバーセルがＰＣｅｌｌ／ＰＳＣｅｌｌよりも良くオフセットされるとき、ＵＥによってＡ３イベントがトリガされる。
【００２６】
これは、セルレベル品質に関する絶対しきい値であり得、すなわち、セルレベル品質があるしきい値を上回る場合、無線通信デバイス１２は、ビームレベル追跡を実施するものとする。
【００２７】
無線通信デバイス１２は、セルＢについてビーム追跡プロシージャをオンにまたはアクティブにし、セルＢについてビーム追跡プロシージャを実施し始め、実施する（ステップ２０２）。いくつかの実施形態では、無線通信デバイス１２は、ビーム関係測定設定において指定された（１つまたは複数の）状態が、セルＢに関して満たされたとき、セルＢについてビーム追跡プロシージャをオンにする。
【００２８】
ビームは、参照信号によって識別され得る。ビームは、同期信号（ＳＳ）のような信号（たとえば、１次同期信号（ＰＳＳ）および／または２次同期信号（ＳＳＳ）および／または復調用参照信号（ＤＭＲＳ））またはチャネル状態情報参照信号（ＣＳＩ−ＲＳ）のいずれかであり得る。ＣＦＲＡリソース割り当てマッピングを与えるために信号が使用されるべきである場合、信号は、無線通信デバイス１２によって追跡されることになる。これは、ネットワークによって制御され得る。いくつかの実施形態では、サービングセル、すなわち、サービングおよび／またはソース無線アクセスノード１４−Ａは、ＳＳブロック関係信号のみに対してビーム追跡プロシージャを実施するように無線通信デバイス１２を設定し、いくつかの他の実施形態では、サービングセルは、ＣＳＩ−ＲＳ信号のみについてビーム追跡プロシージャを実施するように無線通信デバイス１２を設定し、また別の実施形態では、サービングセルは、ＳＳブロックとＣＳＩ−ＲＳ信号の両方に対してビーム追跡プロシージャを実施するように無線通信デバイス１２を設定する。
【００２９】
ビーム追跡プロシージャのために、無線通信デバイス１２は、ネイバーセル、すなわちハンドオーバのための候補であるセルごとに、ビームのリストを維持する。これは、ネイバーセルビームについて無線通信デバイス１２によって行われる、ビーム追跡動作と呼ばれることがある。各ネイバーセルについて、そのネイバーセルのためのビームのリストは、無線通信デバイス１２によって測定されたものとして、最も強い（すなわち、最も良好な）ビームから最も弱い（すなわち、最も悪い）ビームまでランク付けされる。ビームのリストが維持されるべきであるセルは、ネットワークによって暗黙的にまたは明示的に設定され得、たとえば、ネットワークは、セル識別子のリスト、または、測定イベントをトリガしたセルなど、無線デバイス１２などのＵＥが検証することができる状態を無線通信デバイス１２に与える。リストに含まれるべきビームは、ネットワークによって、たとえばネイバーセルごとにある回数、設定され得る。いくつかの実施形態では、セルのためのビームのリストは、無線通信デバイス１２がその目的、すなわちハンドオーバ時にターゲットセルにアクセスするために、ビームレベル測定を実施するたびに更新される。セルのためのビームのリストは、少なくともビームインデックスを含んでいるが、セルのためのビームのリストは、関連する無線状態をも含んでいることがある。インデックスのみを含んでいる場合、無線通信デバイス１２は、絶対しきい値を上回るビームのみがリスト中にあり得ることに気づき得る。インデックスのみを含んでいる場合、無線通信デバイス１２は、最良のビームからの相対しきい値よりも無線状態が悪くないビームのみがリスト中にあり得ることに気づき得る。インデックスおよび無線状態を含んでいる場合、ビームごとに参照信号受信電力（ＲＳＲＰ）、参照信号受信品質（ＲＳＲＱ）および／または信号対干渉プラス雑音比（ＳＩＮＲ）があり得る。インデックスおよび無線状態を含んでいる場合、セルごとに、最良のビームのみについてＲＳＲＰ、ＲＳＲＱ、および／またはＳＩＮＲが、他のビームについてデルタ値があり得る。
【００３０】
セルＢに関するトリガリング基準の発生時に、無線通信デバイス１２は、サービングおよび／またはソース無線アクセスノード１２に測定報告を送る（ステップ２０４およびステップ２０６）。
【００３１】
測定報告に基づいて、サービングおよび／またはソース無線アクセスノード１４−Ａは、セルＡからセルＢに無線通信デバイス１２をハンドオーバするために、ハンドオーバが実施されるべきであると決定し、したがって、サービングおよび／またはソース無線アクセスノード１４−Ａは、ネイバーおよび／またはターゲット無線アクセスノード１４−Ｂにハンドオーバ要求を送る（ステップ２０８）。
【００３２】
ネイバーおよび／またはターゲット無線アクセスノード１４−Ｂは、サービングおよび／またはソース無線アクセスノード１４−Ａにハンドオーバ肯定応答（ＡＣＫ）を送る（ステップ２１０）。
【００３３】
サービングおよび／またはソース無線アクセスノード１４−Ａは、次いで、無線通信デバイス１２にハンドオーバコマンド（たとえば、ｍｏｂｉｌｉｔｙＣｏｎｔｒｏｌＩｎｆｏとともにＲＲＣＣｏｎｎｅｃｔｉｏｎＲｅｃｏｎｆｉｇｕｒａｔｉｏｎ）を送る（ステップ２１２）。
【００３４】
ビーム追跡プロシージャは、この例では、測定報告の送信より前に開始されており、図示されていないが、測定報告を送り、ハンドオーバコマンドを受信した後でも、実施され続けることに留意されたい。代替的に、ビーム追跡プロシージャは、測定報告を送った後に、またはハンドオーバコマンドを受信した後でも、開始され得る。
【００３５】
ハンドオーバコマンドを受信すると、無線通信デバイス１２は、ＣＦＲＡリソースと、ビーム追跡プロシージャにおけるセルＢのための追跡されているビームとに基づいてセルＢ上のビームを選択するために、ビーム選択プロシージャを実施する（ステップ２１４）。
【００３６】
次いで、無線通信デバイス１２は、選択された、または選定されたランダムアクセスリソースを使用して、ランダムアクセスを実施し（ステップ２１６）、ターゲット無線アクセスノード１４−Ｂからランダムアクセス応答を受信する（ステップ２１８）。
【００３７】
次に、無線通信システムにおいてソースセルからターゲットセルへのハンドオーバを実施するための、ＵＥなど、無線通信デバイス１２の動作の方法の例示的な実施形態が、図３ｂに図示されたフローチャートを参照しながら説明される。図３ｂは、図３ａに図示されたステップのうちのいくつかを示す。ここで、本方法は、無線通信デバイス１２の観点から説明される。参照番号２００〜２１８は、図３ａと図３ｂの両方を参照する。参照番号３００〜３２２は以下で説明される図４を参照し、参照番号４００〜４２０は以下で説明される図５を参照する。
【００３８】
本方法は以下のステップを含み、そのステップは、任意の好適な順序で行われ得る。随意であるアクションは、図３ｂにおいて点線ボックス中に提示される。
【００３９】
ステップ２０２
このアクションは、ステップ３０２、４０２にも関係する。
無線通信デバイス１２は、各ネイバーセルについて、ネイバーセルのための追跡されたビームのリストを与えるために、１つまたは複数のネイバーセルについてビーム追跡プロシージャを実施する。
【００４０】
ステップ２１２
このアクションは、ステップ３０６、４０６にも関係する。
無線通信デバイス１２は、ソース無線アクセスノード１４−Ａからハンドオーバコマンドを受信する。ハンドオーバコマンドは、ソース無線アクセスノード１４−Ａによってサービングされるソースセル（セルＡ）からターゲット無線アクセスノード１４−Ｂによってサービングされるターゲットセル（セルＢ）へのハンドオーバを実施するように無線通信デバイス１２に命令する。ターゲットセル（セルＢ）は、ビーム追跡プロシージャがそれについて実施される１つまたは複数のネイバーセルのうちの１つである。
【００４１】
ステップ２１４
このアクションは、ステップ３０６、３０８、３１２、３１６、３１８、４０６、４０８、４１２、および４１６にも関係する。
無線通信デバイス１２は、ランダムアクセスリソース設定および／あるいは相対または絶対品質しきい値に基づいて、ターゲットセル（セルＢ）のための追跡されたビームのリストからターゲットセル（セルＢ）のビームを選択する。
【００４２】
第１の実施形態によれば、関連するＮＲ−ＳＳまたはＣＳＩ−ＲＳに関して測定されたビーム品質がしきい値を上回る専用ＲＡＣＨリソース（与えられた場合）が、優先される。
【００４３】
いくつかの第１の実施形態によれば、無線通信デバイス１２は、ターゲットセル（セルＢ）のための追跡されたビームのリストからターゲットセル（セルＢ）のビームを選択する。たとえば、ＵＥは、最も強い追跡されたビームについて、無競合ランダムアクセスが与えられるかどうか、およびビーム品質が設定されたしきい値を上回るかどうかを検査（ステップ４１２）し、そう（ＹＥＳ（はい））である場合、無線通信デバイス１２は、ランダムアクセスを実施するために最も強いビームを選択する（ステップ４１４）。
【００４４】
さらに、最も強い追跡されたビームが、割り当てられた無競合ランダムアクセスを有しない場合、無線通信デバイス１２は、以下によってターゲットセル（セルＢ）のための追跡されたビームのリストからターゲットセル（セルＢ）のビームを選択する。
−  ステップ４１２、ＮＯ（いいえ）、において、ターゲットセル（セルＢ）のための追跡されたビームのリスト中の最良のビームについて、無競合ランダムアクセスのために割り当てられた専用ランダムアクセスチャネルリソースがないと決定すること、および
−  ターゲットセル（セルＢ）のための追跡されたビームのリスト中の最良のビームについて、無競合ランダムアクセスのために割り当てられた専用ランダムアクセスチャネルリソースがないと決定すると、ステップ４１６において、ターゲットセル（セルＢ）のための追跡されたビームのリスト中のｋ番目の最良のビームの品質がしきい値よりも大きいかどうかを決定することであって、ｋ番目の最良のビームは、専用（無競合）ランダムアクセスチャネルリソースが割り当てられたビーム、たとえば最も強い追跡されたビームである、ｋ番目の最良のビームの品質がしきい値よりも大きいかどうかを決定すること。ｋ番目の最良のビームの品質がしきい値よりも大きい場合、ターゲットセルの選択されたビームはｋ番目の最良のビームである。本明細書で使用されるｋ番目の最良のビームは、無競合ランダムアクセスリソースが割り当てられた最も強いビームを意味し、このビームは、設定されたしきい値を上回る。
【００４５】
いくつかの第２の実施形態によれば、無線通信デバイス１２は、以下によってターゲットセル（セルＢ）のための追跡されたビームのリストからターゲットセル（セルＢ）のビームを選択する。
−  ステップ３１２、ＮＯ、において、ターゲットセル（セルＢ）のための追跡されたビームのリスト中の最良のビームについて、無競合ランダムアクセスのために割り当てられた専用ランダムアクセスチャネルリソースがないと決定すること、および
−  ターゲットセル（セルＢ）のための追跡されたビームのリスト中の最良のビームについて、無競合ランダムアクセスのために割り当てられた専用ランダムアクセスチャネルリソースがないと決定すると、ステップ３１６において、ターゲットセル（セルＢ）のための追跡されたビームのリスト中の最良のビームの品質と、ターゲットセル（セルＢ）のための追跡されたビームのリスト中のｋ番目の最良のビームの品質との間の差異を決定すること。ｋ番目の最良のビームは、専用ランダムアクセスチャネルリソースが割り当てられたビームである。および、
−  ステップ３１８において、差異がしきい値よりも小さいかどうかを決定することであって、差異がしきい値よりも小さい場合、ターゲットセルの選択されたビームがｋ番目の最良のビームである、差異がしきい値よりも小さいかどうかを決定すること。
【００４６】
第１および第２の実施形態のうちのいくつかの特定の実施形態では、無線通信デバイス１２は、ステップ３０８、４０８において、専用ランダムアクセスチャネルリソースが、ターゲットセルのための追跡されたビームのリスト中のビームのいずれについても、無競合ランダムアクセスのために割り当てられない場合、ターゲットセル（セルＢ）のための追跡されたビームのリスト中の最良のビームを選択することによって、ターゲットセル（セルＢ）のための追跡されたビームのリストからターゲットセル（セルＢ）のビームを選択する。
【００４７】
第１および第２の実施形態のうちのいくつかの他の実施形態では、無線通信デバイス１２は、ステップ３０８、４０８において、専用ランダムアクセスチャネルリソースが、ターゲットセルのための追跡されたビームのリスト中の最良のビームについて、無競合ランダムアクセスのために割り当てられる場合、ターゲットセル（セルＢ）のための追跡されたビームのリスト中の最良のビームを選択することによって、ターゲットセル（セルＢ）のための追跡されたビームのリストからターゲットセル（セルＢ）のビームを選択する。
【００４８】
ステップ２１６
このアクションは、ステップ３１０、３１４、３２０、３２２、４１０、４１４、４１８、および４２０にも関係する。
無線通信デバイス１２は、次いで、選択されたビーム上でランダムアクセスを実施する。
【００４９】
第１の実施形態のうちのいくつかでは、ｋ番目の最良のビームの品質がしきい値よりも大きい場合、無線通信デバイス１２は、４１８において、ｋ番目の最良のビームの専用ランダムアクセスチャネルリソースを使用してｋ番目の最良のビーム上で無競合ランダムアクセスを実施することによって、選択されたビーム上でランダムアクセスを実施する。さらに、第１の実施形態のうちのいくつかでは、ｋ番目の最良のビームの品質がしきい値より大きくない場合、無線通信デバイス１２は、４２０において、最良のビームの競合ベースランダムアクセスチャネルリソースを使用して、最良の追跡されたビーム上など、最良のビーム上で競合ベースランダムアクセスを実施することによって、選択されたビーム上でランダムアクセスを実施する。
【００５０】
第２の実施形態のうちのいくつかでは、差異がしきい値よりも小さい場合、無線通信デバイス１２は、ステップ３２０において、ｋ番目の最良のビームの専用ランダムアクセスチャネルリソースを使用してｋ番目の最良のビーム上で無競合ランダムアクセスを実施することによって、選択されたビーム上でランダムアクセスを実施する。さらに、第２の実施形態のうちのいくつかでは、差異がしきい値より小さくない場合、無線通信デバイス１２は、ステップ３２２において、最良のビームの競合ベースランダムアクセスチャネルリソースを使用して最良のビーム上で競合ベースランダムアクセスを実施することによって、選択されたビーム上でランダムアクセスを実施する。
【００５１】
専用ランダムアクセスチャネルリソースが、ターゲットセルのための追跡されたビームのリスト中のビームのいずれについても、無競合ランダムアクセスのために割り当てられない、第１および第２の実施形態のうちのいくつかでは、無線通信デバイス１２は、ステップ３１０、４１０において、最良のビームの競合ベースランダムアクセスチャネルリソースを使用して最良のビーム上で競合ベースランダムアクセスを実施することによって、選択されたビーム上でランダムアクセスを実施する。
【００５２】
専用ランダムアクセスチャネルリソースが、ターゲットセルのための追跡されたビームのリスト中の最良のビームについて、無競合ランダムアクセスのために割り当てられる、第４の実施形態のうちのいくつかでは、無線通信デバイス１２は、３１４、４１４において、最良のビームの専用ランダムアクセスチャネルリソースを使用して最良のビーム上で無競合ランダムアクセスを実施することによって、選択されたビーム上でランダムアクセスを実施する。
【００５３】
本開示の２つの例示的な実施形態、すなわち第１および第２の例示的な実施形態のためのステップ２１４および２１６の詳細が、図４および図５に関して以下で詳細に説明され、図５は第１の実施形態を図示し、図４は第２の実施形態を図示する。
【００５４】
第２の実施形態が、最初に説明される。
【００５５】
この点について、図４は、第２の実施形態などの本開示のいくつかの実施形態による、無線通信デバイス１２の動作を示す。図３ａおよび図３ｂ中のステップ２００〜２１２に関して上記で説明されたように、無線通信デバイス１２は、サービングおよび／またはソース無線アクセスノード１４−Ａに測定報告を送信し、サービングセルＡのためのサービングおよび／またはソース無線アクセスノード１４−Ａによって設定されたように（１つまたは複数の）セル中のビームのリストについてビーム追跡を実施し、ネイバーおよび／またはターゲットセルＢへのハンドオーバのためのサービングおよび／またはソース無線アクセスノード１４−Ａからのハンドオーバコマンドを受信する（ステップ３００〜３０４）。
【００５６】
図４のプロセスの残りは、第２の実施形態などの本開示の一実施形態による、図３ａおよび図３ｂのステップ２１４および２１６をより詳細に示す。セルＢについてビーム選択を実施するために、ハンドオーバコマンドを受信すると、無線通信デバイス１２は、ターゲットセル識別子を検証し、無線通信デバイス１２がその特定のセルのためのビームのリストを維持するかどうかを検査する。言い換えれば、無線通信デバイス１２は、ハンドオーバのためのターゲットセルについてビーム追跡が実施されているかどうかを決定する（ステップ３０６）。
【００５７】
ＹＥＳの場合、無線通信デバイス１２は、ハンドオーバコマンドが、ターゲットセルの少なくとも１つのビームについての（１つまたは複数の）専用ＣＦＲＡランダムアクセスチャネル（ＲＡＣＨ）リソースを含んでいるかどうかを検査する（ステップ３０８）。
【００５８】
ターゲットセルのビームのいずれについても、ＣＦＲＡのための専用リソースがない場合、無線通信デバイス１２は、ターゲットセルのための追跡されたビームリスト中の最良のビームの設定された競合ベースランダムアクセス（ＣＢＲＡ）リソースを使用してランダムアクセスを実施する（ステップ３１０、ＮＯ）。
【００５９】
しかしながら、検証が、ターゲットセルの１つまたは複数のビームについて、ＣＦＲＡのための専用リソースがあることを確かめた場合、無線通信デバイス１２は、専用ＲＡＣＨリソース（すなわち、ＣＦＲＡに専用のＲＡＣＨリソース）をネットワークが与えたかどうかを決定するために、最良のビームから開始して、ターゲットセルのための追跡されたビームリストを検査する（ステップ３１２）。
【００６０】
ターゲットセルのための追跡されたビームリスト中の最良のビームが、専用ＲＡＣＨリソースを有する場合（ステップ３１２、ＹＥＳ）、無線通信デバイス１２は、最良のビームのために設定された専用ＲＡＣＨリソースを使用してＣＦＲＡを実施する（ステップ３１４）。
【００６１】
ネットワークが、最良のビームのために専用ＲＡＣＨリソースを割り当てなかった場合（ステップ３１２、ＮＯ）、無線通信デバイス１２は、ターゲットセルの追跡されたビームリスト中のｋ番目の最良のビームを識別し、ターゲットセルの追跡されたビームリスト中の最良のビームの品質（たとえば、ＲＳＲＰ、ＲＳＲＱ、またはＳＩＮＲ）と、ターゲットセルの追跡されたビームリスト中のｋ番目の最良のビームの品質（たとえば、ＲＳＲＰ、ＲＳＲＱ、またはＳＩＮＲ）との差異を計算するか、またはさもなければ決定する（ステップ３１６）。ｋ番目の最良のビームは、専用ＲＡＣＨリソースがネットワークによって割り当てられた、追跡されたビームリスト中のビームである。いくつかの実施形態では、ｋ番目の最良のビームは、専用ＲＡＣＨリソースが割り当てられた、ターゲットセルのための追跡されたビームリスト中の最も強い／最良のビームである。
【００６２】
無線通信デバイス１２は、最良のビームの品質とｋ番目の最良のビームの品質との間の差異が、あらかじめ規定された（たとえば、設定された）しきい値よりも小さいかどうかを決定する（ステップ３１８）。
【００６３】
差異がしきい値よりも小さい場合、無線通信デバイス１２は、ターゲットセルの追跡されたビームリスト中のｋ番目の最良のビームの専用リソース、すなわち、ＣＦＲＡリソースを使用して、ランダムアクセスを実施する（ステップ３２０）。
【００６４】
差異がしきい値より小さくない場合、無線通信デバイス１２は、ターゲットセルの追跡されたビームリスト中の最良のビームのＣＢＲＡリソースを使用してランダムアクセスを実施する（ステップ３２２）。したがって、無線通信デバイス１２は、ｋ番目の最良のビームが、最良のビームからの相対しきい値よりも悪くない品質を有する場合のみ、専用ＲＡＣＨリソースが与えられたｋ番目の最良のビームにアクセスする。
【００６５】
ターゲットセルのための追跡されたビームリストが単一のビームを有し、そのビームに専用リソースが与えられていない場合、無線通信デバイス１２は、最良のビームに関連するＣＢＲＡを実施する。
【００６６】
第２の実施形態での利点は、無線通信デバイス１２が、極めて良好な品質をもつビームのために予約されたＣＦＲＡがない場合でも、およびＣＦＲＡが割り当てられた別の弱いビームがある場合、極めて良好な品質をもつビームを選択するものとすることであり、依然として有効である。増加される衝突確率があるが、無線通信デバイス１２は、最良のビームが、ＣＦＲＡリソースが与えられた最良のビームと比較して極めて良好である場合、最良のビームを選択する。これは、ＵＥに向かうリンクビームのより速い収束を助けることになる。
【００６７】
図５は第１の実施形態などの実施形態を示し、その実施形態は、図４の実施形態と同様であるが、ただし、無線通信デバイス１２は、ｋ番目の最良のビームが絶対しきい値を上回る場合のみ、専用ＲＡＣＨリソースが与えられたｋ番目の最良のビームにアクセスする。より詳細には、図３ａおよび図３ｂのステップ２００〜２１２に関して上記で説明されたように、無線通信デバイス１２は、サービングおよび／またはソース無線アクセスノード１４−Ａに測定報告を送信し、サービングセルＡのためのサービングおよび／またはソース無線アクセスノード１４−Ａによって設定されたように（１つまたは複数の）セル中のビームのリストについてビーム追跡を実施し、ネイバーおよび／またはターゲットセルＢへのハンドオーバのためのサービングおよび／またはソース無線アクセスノード１４−Ａからのハンドオーバコマンドを受信する（ステップ４００〜４０４）。
【００６８】
図５のプロセスの残りは、本開示の一実施形態による、図３ａおよび図３ｂのステップ２１４および２１６をより詳細に示す。セルＢについてビーム選択を実施するために、ハンドオーバコマンドを受信すると、無線通信デバイス１２は、ターゲットセル識別子を検証し、無線通信デバイス１２がその特定のセルのためのビームのリストを維持するかどうかを検査する。言い換えれば、無線通信デバイス１２は、ハンドオーバのためのターゲットセルについてビーム追跡が実施されているかどうかを決定する（ステップ４０６）。
【００６９】
ＹＥＳの場合、無線通信デバイス１２は、ハンドオーバコマンドが、ターゲットセルの少なくとも１つのビームについての（１つまたは複数の）専用ＣＦＲＡ  ＲＡＣＨリソースを含んでいるかどうかを検査する（ステップ４０８）。
【００７０】
ターゲットセルのビームのいずれについても、ＣＦＲＡのための専用リソースがない場合、無線通信デバイス１２は、ターゲットセルのための追跡されたビームリスト中の最良のビームの設定されたＣＢＲＡリソースを使用してランダムアクセスを実施する（ステップ４１０）。
【００７１】
しかしながら、検証が、ターゲットセルの１つまたは複数のビームについて、ＣＦＲＡのための専用リソースがあることを確かめた場合、無線通信デバイス１２は、専用ＲＡＣＨリソース（すなわち、ＣＦＲＡに専用のＲＡＣＨリソース）をネットワークが与えたかどうかを決定するために、最良のビームから開始して、ターゲットセルのための追跡されたビームリストを検査する（ステップ４１２）。
【００７２】
ターゲットセルのための追跡されたビームリスト中の最良のビームが、専用ＲＡＣＨリソースを有する場合（ステップ４１２、ＹＥＳ）、無線通信デバイス１２は、最良のビームのために設定された専用ＲＡＣＨリソースを使用してＣＦＲＡを実施する（ステップ４１４）。
【００７３】
ネットワークが、最良のビームのために専用ＲＡＣＨリソースを割り当てなかった場合（ステップ４１２、ＮＯ）、無線通信デバイス１２は、ターゲットセルの追跡されたビームリスト中のｋ番目の最良のビームを識別し、ターゲットセルの追跡されたビームリスト中のｋ番目の最良のビームの品質（たとえば、ＲＳＲＰ、ＲＳＲＱ、またはＳＩＮＲ）が、あらかじめ規定された（たとえば、設定された）しきい値よりも大きいかどうかを決定する（ステップ４１６）。
【００７４】
ｋ番目の最良のビームは、専用ＲＡＣＨリソースがネットワークによって割り当てられた、追跡されたビームリスト中のビームである。いくつかの実施形態では、ｋ番目の最良のビームは、専用ＲＡＣＨリソースが割り当てられた、ターゲットセルのための追跡されたビームリスト中の最も強い／最良のビームである。ｋ番目の最良のビームの品質がしきい値よりも大きい場合、無線通信デバイス１２は、ターゲットセルの追跡されたビームリスト中のｋ番目の最良のビームの専用リソース、すなわち、ＣＦＲＡリソースを使用して、ランダムアクセスを実施する（ステップ４１８）。
【００７５】
ｋ番目の最良のビームの品質がしきい値よりも大きくない場合、無線通信デバイス１２は、ターゲットセルの追跡されたビームリスト中の最良のビームのＣＢＲＡリソースを使用してランダムアクセスを実施する（ステップ４２０）。したがって、無線通信デバイス１２は、ｋ番目の最良のビームが、絶対しきい値よりも大きい品質を有する場合のみ、専用ＲＡＣＨリソースが与えられたｋ番目の最良のビームにアクセスする。
【００７６】
ターゲットセルのための追跡されたビームリストが単一のビームを有し、そのビームに専用リソースが与えられていない場合、無線通信デバイス１２は、最良のビームに関連するＣＢＲＡを実施する。
【００７７】
第１の実施形態をもつ利点は、無線通信デバイス１２が、ＣＦＲＡリソースを、これらのＣＦＲＡが与えられたビームが、設定されたしきい値を上回る限り、使用するものとすることである。これは、ＲＡ衝突確率を無効にし、ターゲットセルに対する無線通信デバイス１２へのより良好なアップリンクアクセスを与えることになる。
【００７８】
次に、無線通信システム１０においてソースセルからターゲットセルへの無線通信デバイス１２のハンドオーバを実施するための、ソース無線アクセスノード１４−Ａなどの無線アクセスノード１４の動作の方法の例示的な実施形態が、図５ｂに図示されたフローチャートを参照しながら説明される。
【００７９】
本方法は以下のステップを含む。
【００８０】
ステップ５０１
このステップはステップ２００に関係する。
無線アクセスノード１４は、以下を行うように無線デバイス１２を設定する。
２０２、３０２、４０２において、各ネイバーセルについて、ネイバーセルのための追跡されたビームのリストを与えるために、１つまたは複数のネイバーセルについてビーム追跡プロシージャを実施すること、
ソース無線アクセスノード１４−Ａによってサービングされるソースセル（セルＡ）からターゲット無線アクセスノード１４−Ｂによってサービングされるターゲットセル（セルＢ）へのハンドオーバを実施するように無線通信デバイス１２に命令する、ソース無線アクセスノード１４−Ａからのハンドオーバコマンドを受信すると、２１４、３０６、３０８、３１２、３１６、３１８、４０６、４０８、４１２、４１６において、ランダムアクセスリソース設定および／または品質しきい値に基づいて、ターゲットセル（セルＢ）のための追跡されたビームのリストからターゲットセル（セルＢ）のビームを選択すること、ならびに
２１６、３１０、３１４、３２０、３２２、４１０、４１４、４１８、４２０において、選択されたビーム上でランダムアクセスを実施すること。
【００８１】
いくつかの実施形態では、２１４、３０６、３０８、３１２、３１６、３１８、４０６、４０８、４１２、４１６において、ターゲットセル（セルＢ）のための追跡されたビームのリストからターゲットセル（セルＢ）のビームを選択するように、無線通信デバイス１２を設定することは、以下を行うように無線通信デバイス１２を設定することをさらに含む。
ステップ４１２、ＮＯ、において、ターゲットセル（セルＢ）のための追跡されたビームのリスト中の最良のビームについて、無競合ランダムアクセスのために割り当てられた専用ランダムアクセスチャネルリソースがないと決定すること、および
ターゲットセル（セルＢ）のための追跡されたビームのリスト中の最良のビームについて、無競合ランダムアクセスのために割り当てられた専用ランダムアクセスチャネルリソースがないと決定すると、
４１６において、ターゲットセル（セルＢ）のための追跡されたビームのリスト中のｋ番目の最良のビームの品質がしきい値よりも大きいかどうかを決定することであって、ｋ番目の最良のビームは、専用ランダムアクセスチャネルリソースが割り当てられたビームであり、ｋ番目の最良のビームの品質がしきい値よりも大きい場合、ターゲットセルの選択されたビームがｋ番目の最良のビームである、ｋ番目の最良のビームの品質がしきい値よりも大きいかどうかを決定すること。
【００８２】
いくつかの実施形態では、無線アクセスノード１４は、ｋ番目の最良のビームの品質がしきい値よりも大きい場合、４１８において、ｋ番目の最良のビームの専用ランダムアクセスチャネルリソースを使用してｋ番目の最良のビーム上で無競合ランダムアクセスを実施することによって、２１６、３１０、３１４、３２０、３２２、４１０、４１４、４１８、４２０において、選択されたビーム上でランダムアクセスを実施するように、無線通信デバイス１２を設定する。
【００８３】
いくつかの実施形態では、無線アクセスノード１４は、ｋ番目の最良のビームの品質がしきい値よりも大きくない場合、４２０において、最良のビームの競合ベースランダムアクセスチャネルリソースを使用して最良のビーム上で競合ベースランダムアクセスを実施することによって、２１６、３１０、３１４、３２０、３２２、４１０、４１４、４１８、４２０において、選択されたビーム上でランダムアクセスを実施するように、無線通信デバイス１２をさらに設定する。
【００８４】
図６は、本開示のいくつかの実施形態による、無線通信デバイス１２、またはＵＥの概略ブロック図である。図示のように、無線通信デバイス１２は、１つまたは複数のプロセッサ２２（たとえば、中央処理ユニット（ＣＰＵ）、特定用途向け集積回路（ＡＳＩＣ）、フィールドプログラマブルゲートアレイ（ＦＰＧＡ）、デジタル信号プロセッサ（ＤＳＰ）など）とメモリ２４とを備える回路要素２０を含む。無線通信デバイス１２は、１つまたは複数のアンテナ３２に結合された１つまたは複数の送信機２８と１つまたは複数の受信機３０とを各々含む、１つまたは複数のトランシーバ２６をも含む。いくつかの実施形態では、本明細書で説明される無線通信デバイス１２の機能性は、ハードウェアで（たとえば、回路要素２０内のおよび／または（１つまたは複数の）プロセッサ２２内のハードウェアを介して）実装されるか、またはハードウェアとソフトウェアとの組合せで実装され（たとえば、たとえば、メモリ２４に記憶され、（１つまたは複数の）プロセッサ２２によって実行されるソフトウェアで完全にまたは部分的に実装され）得る。
【００８５】
いくつかの実施形態では、少なくとも１つのプロセッサ２２によって実行されたとき、本明細書で説明される実施形態のいずれかに従って、少なくとも１つのプロセッサ２２に無線通信デバイス１２の機能性のうちの少なくともいくつかを行わせる命令を含むコンピュータプログラムが与えられる。いくつかの実施形態では、上述のコンピュータプログラム製品を含んでいるキャリアが与えられる。キャリアは、電子信号、光信号、無線信号、またはコンピュータ可読記憶媒体（たとえば、メモリなど、非一時的コンピュータ可読媒体）のうちの１つである。
【００８６】
図７は、本開示のいくつかの他の実施形態による、無線通信デバイス１２、またはＵＥの概略ブロック図である。無線通信デバイス１２は、１つまたは複数のモジュール３４を含み、その各々はソフトウェアで実装される。（１つまたは複数の）モジュール３４は、本明細書で説明される（たとえば、図３、図４、および／または図５に関して説明される）無線通信デバイス１２の機能性を与える。
【００８７】
無線通信システム１０においてソースセルからターゲットセルへのハンドオーバ、たとえば、無線アクセスノード間ハンドオーバを実施するための上記の方法ステップを実施するために、無線通信デバイス１２は、たとえば図７に図示されるように、以下の構成を備え得る。
【００８８】
無線通信デバイス１２は、たとえば、実施モジュールなど、無線通信デバイス１２中のモジュール３４のうちの１つによって、各ネイバーセルについて、ネイバーセルのための追跡されたビームのリストを与えるために、１つまたは複数のネイバーセルについてビーム追跡プロシージャを実施するように適合される。
【００８９】
無線通信デバイス１２は、たとえば、受信モジュールなど、無線通信デバイス１２中のモジュール３４のうちの１つによって、ソース無線アクセスノード１４−Ａによってサービングされるソースセル（セルＡ）からターゲット無線アクセスノード１４−Ｂによってサービングされるターゲットセル（セルＢ）へのハンドオーバを実施するように無線通信デバイス１２に命令する、ソース無線アクセスノード１４−Ａからのハンドオーバコマンドを受信することであって、ターゲットセル（セルＢ）は、ビーム追跡プロシージャがそれについて実施される１つまたは複数のネイバーセルのうちの１つである、ハンドオーバコマンドを受信することを行うようにさらに適合される。
【００９０】
無線通信デバイス１２は、たとえば、選択モジュールなど、無線通信デバイス１２中のモジュール３４のうちの１つによって、ランダムアクセスリソース設定および／あるいは相対または絶対品質しきい値に基づいて、ターゲットセル（セルＢ）のための追跡されたビームのリストからターゲットセル（セルＢ）のビームを選択するようにさらに適合される。
【００９１】
無線通信デバイス１２は、たとえば、実施モジュールなど、無線通信デバイス１２中のモジュール３４のうちの１つによって、選択されたビーム上でランダムアクセスを実施するようにさらに適合される。
【００９２】
無線通信デバイス１２は、たとえば、選択モジュールなど、無線通信デバイス１２中のモジュール３４のうちの１つによって、以下によってターゲットセル（セルＢ）のための追跡されたビームのリストからターゲットセル（セルＢ）のビームを選択するようにさらに適合され得る。
ターゲットセル（セルＢ）のための追跡されたビームのリスト中の最良のビームについて、無競合ランダムアクセスのために割り当てられた専用ランダムアクセスチャネルリソースがないと決定すること、および
ターゲットセル（セルＢ）のための追跡されたビームのリスト中の最良のビームについて、無競合ランダムアクセスのために割り当てられた専用ランダムアクセスチャネルリソースがないと決定すると、
ターゲットセル（セルＢ）のための追跡されたビームのリスト中のｋ番目の最良のビームの品質がしきい値よりも大きいかどうかを決定することであって、ｋ番目の最良のビームは、専用ランダムアクセスチャネルリソースが割り当てられたビームであり、ｋ番目の最良のビームの品質がしきい値よりも大きい場合、ターゲットセルの選択されたビームがｋ番目の最良のビームである、ｋ番目の最良のビームの品質がしきい値よりも大きいかどうかを決定すること。
【００９３】
無線通信デバイス１２は、たとえば、実施モジュールなど、無線通信デバイス１２中のモジュール３４のうちの１つによって、ｋ番目の最良のビームの品質がしきい値よりも大きい場合、ｋ番目の最良のビームの専用ランダムアクセスチャネルリソースを使用してｋ番目の最良のビーム上で無競合ランダムアクセスを実施することによって、選択されたビーム上でランダムアクセスを実施するようにさらに適合され得る。
【００９４】
無線通信デバイス１２は、たとえば、実施モジュールなど、無線通信デバイス１２中のモジュール３４のうちの１つによって、ｋ番目の最良のビームの品質がしきい値よりも大きくない場合、最良のビームの競合ベースランダムアクセスチャネルリソースを使用して最良のビーム上で競合ベースランダムアクセスを実施することによって、選択されたビーム上でランダムアクセスを実施するようにさらに適合され得る。
【００９５】
無線通信デバイス１２は、たとえば、選択モジュールなど、無線通信デバイス１２中のモジュール３４のうちの１つによって、以下によってターゲットセル（セルＢ）のための追跡されたビームのリストからターゲットセル（セルＢ）のビームを選択するようにさらに適合され得る。
専用ランダムアクセスチャネルリソースが、ターゲットセルのための追跡されたビームのリスト中のビームのいずれについても、無競合ランダムアクセスのために割り当てられない場合、ターゲットセル（セルＢ）のための追跡されたビームのリスト中の最良のビームを選択すること。
【００９６】
無線通信デバイス１２は、たとえば、実施モジュールなど、無線通信デバイス１２中のモジュール３４のうちの１つによって、最良のビームの競合ベースランダムアクセスチャネルリソースを使用して最良のビーム上で競合ベースランダムアクセスを実施することによって、選択されたビーム上でランダムアクセスを実施するようにさらに適合され得る。
【００９７】
無線通信デバイス１２は、たとえば、選択モジュールなど、無線通信デバイス１２中のモジュール３４のうちの１つによって、以下によってターゲットセル（セルＢ）のための追跡されたビームのリストからターゲットセル（セルＢ）のビームを選択するようにさらに適合され得る。
専用ランダムアクセスチャネルリソースが、ターゲットセルのための追跡されたビームのリスト中の最良のビームについて、無競合ランダムアクセスのために割り当てられる場合、ターゲットセル（セルＢ）のための追跡されたビームのリスト中の最良のビームを選択すること。
【００９８】
無線通信デバイス１２は、たとえば、実施モジュールなど、無線通信デバイス１２中のモジュール３４のうちの１つによって、最良のビームの専用ランダムアクセスチャネルリソースを使用して最良のビーム上で無競合ランダムアクセスを実施することによって、選択されたビーム上でランダムアクセスを実施するようにさらに適合され得る。
【００９９】
無線通信デバイス１２は、たとえば、選択モジュールなど、無線通信デバイス１２中のモジュール３４のうちの１つによって、以下によってターゲットセル（セルＢ）のための追跡されたビームのリストからターゲットセル（セルＢ）のビームを選択するようにさらに適合され得る。
ターゲットセル（セルＢ）のための追跡されたビームのリスト中の最良のビームについて、無競合ランダムアクセスのために割り当てられた専用ランダムアクセスチャネルリソースがないと決定すること、および
ターゲットセル（セルＢ）のための追跡されたビームのリスト中の最良のビームについて、無競合ランダムアクセスのために割り当てられた専用ランダムアクセスチャネルリソースがないと決定すると、
ターゲットセル（セルＢ）のための追跡されたビームのリスト中の最良のビームの品質と、ターゲットセル（セルＢ）のための追跡されたビームのリスト中のｋ番目の最良のビームの品質との間の差異を決定することであって、ｋ番目の最良のビームは、専用ランダムアクセスチャネルリソースが割り当てられたビームである、差異を決定すること、および
差異がしきい値よりも小さいかどうかを決定することであって、差異がしきい値よりも小さい場合、ターゲットセルの選択されたビームがｋ番目の最良のビームである、差異がしきい値よりも小さいかどうかを決定すること。
【０１００】
無線通信デバイス１２は、たとえば、実施モジュールなど、無線通信デバイス１２中のモジュール３４のうちの１つによって、差異がしきい値よりも小さい場合、ｋ番目の最良のビームの専用ランダムアクセスチャネルリソースを使用してｋ番目の最良のビーム上で無競合ランダムアクセスを実施することによって、選択されたビーム上でランダムアクセスを実施するようにさらに適合され得る。
【０１０１】
無線通信デバイス１２は、たとえば、実施モジュールなど、無線通信デバイス１２中のモジュール３４のうちの１つによって、差異がしきい値より小さくない場合、最良のビームの競合ベースランダムアクセスチャネルリソースを使用して最良のビーム上で競合ベースランダムアクセスを実施することによって、選択されたビーム上でランダムアクセスを実施するようにさらに適合され得る。
【０１０２】
図８は、本開示のいくつかの実施形態による、ネットワークノード３６（たとえば、たとえばｇＮＢなど、無線アクセスノード１４）の概略ブロック図である。図示のように、ネットワークノード３６は、１つまたは複数のプロセッサ４０（たとえば、ＣＰＵ、ＡＳＩＣ、ＤＳＰ、ＦＰＧＡなど）とメモリ４２とを備える回路要素を含む、制御システム３８を含む。制御システム３８は、ネットワークインターフェース４４をも含む。ネットワークノード３６が無線アクセスノード１４である実施形態では、ネットワークノード３６は、１つまたは複数のアンテナ５２に結合された１つまたは複数の送信機４８と１つまたは複数の受信機５０とを各々含む、１つまたは複数の無線ユニット４６をも含む。いくつかの実施形態では、上記で説明されたネットワークノード３６の機能性（詳細には、無線アクセスノード１４の機能性）は、たとえば、メモリ４２に記憶され、（１つまたは複数の）プロセッサ４０によって実行されるソフトウェアで完全にまたは部分的に実装され得る。
【０１０３】
図９は、本開示のいくつかの実施形態による、ネットワークノード３６（たとえば、無線アクセスノード１４）の仮想化された実施形態を示す概略ブロック図である。本明細書で使用される「仮想化された」ネットワークノード３６は、ネットワークノード３６の機能性の少なくとも一部分が、（たとえば、（１つまたは複数の）ネットワークにおける（１つまたは複数の）物理処理ノード上で実行する（１つまたは複数の）仮想マシンを介して）仮想構成要素として実装されるネットワークノード３６である。図示のように、ネットワークノード３６は、図８に関して説明されたような制御システム３８を随意に含む。さらに、ネットワークノード３６が無線アクセスノード１４である場合、ネットワークノード３６は、図８に関して説明されたような１つまたは複数の無線ユニット４６をも含む。制御システム３８（存在する場合）は、ネットワークインターフェース４４を介して、（１つまたは複数の）ネットワーク５６に結合されるかまたは（１つまたは複数の）ネットワーク５６の一部として含まれる、１つまたは複数の処理ノード５４に接続される。代替的に、制御システム３８が存在しない場合、１つまたは複数の無線ユニット４６（存在する場合）は、（１つまたは複数の）ネットワークインターフェースを介して１つまたは複数の処理ノード５４に接続される。代替的に、本明細書で説明されるネットワークノード３６の機能性のすべて（たとえば、無線アクセスノード１４の機能性のすべて）が、処理ノード５４において実装され得る。各処理ノード５４は、１つまたは複数のプロセッサ５８（たとえば、ＣＰＵ、ＡＳＩＣ、ＤＳＰ、ＦＰＧＡなど）と、メモリ６０と、ネットワークインターフェース６２とを含む。
【０１０４】
この例では、本明細書で説明されるネットワークノード３６の機能６４（たとえば、無線アクセスノード１４の機能）は、１つまたは複数の処理ノード５４において実装されるか、または制御システム３８（存在する場合）および１つまたは複数の処理ノード５４にわたって任意の所望の様式で分散される。いくつかの特定の実施形態では、本明細書で説明されるネットワークノード３６の機能６４の一部または全部は、（１つまたは複数の）処理ノード５４によってホストされる（１つまたは複数の）仮想環境において実装される１つまたは複数の仮想マシンによって実行される仮想構成要素として実装される。当業者によって諒解されるように、（１つまたは複数の）処理ノード５４と、制御システム３８（存在する場合）または代替的に（１つまたは複数の）無線ユニット４６（存在する場合）との間の追加のシグナリングまたは通信が、所望の機能のうちの少なくともいくつかを行うために使用される。特に、いくつかの実施形態では、制御システム３８が含まれないことがあり、その場合、（１つまたは複数の）無線ユニット４６（存在する場合）は、（１つまたは複数の）適切なネットワークインターフェースを介して（１つまたは複数の）処理ノード５４と直接通信する。
【０１０５】
いくつかの特定の実施形態では、ネットワークノード３６の上位レイヤ機能性（たとえば、プロトコルスタックのレイヤ３以上、および場合によってはレイヤ２の一部）は、仮想構成要素として（１つまたは複数の）処理ノード５４において実装され（すなわち、「クラウドで」実装され）得るが、下位レイヤ機能性（たとえば、プロトコルスタックのレイヤ１、および場合によってはレイヤ２の一部）は、（１つまたは複数の）無線ユニット４６および場合によっては制御システム３８において実装され得る。
【０１０６】
いくつかの実施形態では、少なくとも１つのプロセッサ４０、５８によって実行されたとき、本明細書で説明される実施形態のいずれかに従って、少なくとも１つのプロセッサ４０、５８にネットワークノード３６または処理ノード５４の機能性を行わせる命令を含むコンピュータプログラムが与えられる。いくつかの実施形態では、上述のコンピュータプログラム製品を含んでいるキャリアが与えられる。キャリアは、電子信号、光信号、無線信号、またはコンピュータ可読記憶媒体（たとえば、メモリ４２、６０などの非一時的コンピュータ可読媒体）のうちの１つである。
【０１０７】
図１０は、本開示のいくつかの他の実施形態による、ネットワークノード３６（たとえば、無線アクセスノード１４）の概略ブロック図である。ネットワークノード３６は、１つまたは複数のモジュール６６を含み、その各々はソフトウェアで実装される。（１つまたは複数の）モジュール６６は、本明細書で説明されるネットワークノード３６の機能性（たとえば、図３ａおよび図３ｂの無線アクセスノード１４−Ａの機能性）を与える。
【０１０８】
無線通信システム１０においてソースセルからターゲットセルへのハンドオーバ、たとえば、無線アクセスノード間ハンドオーバを実施するための上記方法ステップを実施するために、ソース無線アクセスノード１４−Ａなどの無線アクセスノード１４は、たとえば図１０に図示されているように、以下の構成を備え得る。
【０１０９】
無線アクセスノード１４は、たとえば、設定モジュールなど、無線通信デバイス１２中のモジュール３４のうちの１つによって、以下を行うように無線通信デバイス１２を設定するように適合される。
２０２、３０２、４０２において、各ネイバーセルについて、ネイバーセルのための追跡されたビームのリストを与えるために、１つまたは複数のネイバーセルについてビーム追跡プロシージャを実施すること、
ソース無線アクセスノード１４−Ａによってサービングされるソースセル（セルＡ）からターゲット無線アクセスノード１４−Ｂによってサービングされるターゲットセル（セルＢ）へのハンドオーバを実施するように無線通信デバイス１２に命令する、ソース無線アクセスノード１４−Ａからのハンドオーバコマンドを受信すると、２１４、３０６、３０８、３１２、３１６、３１８、４０６、４０８、４１２、４１６において、ランダムアクセスリソース設定および／または品質しきい値に基づいて、ターゲットセル（セルＢ）のための追跡されたビームのリストからターゲットセル（セルＢ）のビームを選択すること、ならびに
２１６、３１０、３１４、３２０、３２２、４１０、４１４、４１８、４２０において、選択されたビーム上でランダムアクセスを実施すること。
【０１１０】
無線アクセスノード１４は、たとえば、設定モジュールなど、無線通信デバイス１２中のモジュール３４のうちの１つによって、以下によって、２１４、３０６、３０８、３１２、３１６、３１８、４０６、４０８、４１２、４１６において、ターゲットセル（セルＢ）のための追跡されたビームのリストからターゲットセル（セルＢ）のビームを選択するように、無線通信デバイス１２を設定するようにさらに適合され得る。
ステップ４１２、ＮＯ、において、ターゲットセル（セルＢ）のための追跡されたビームのリスト中の最良のビームについて、無競合ランダムアクセスのために割り当てられた専用ランダムアクセスチャネルリソースがないと決定すること、および
ターゲットセル（セルＢ）のための追跡されたビームのリスト中の最良のビームについて、無競合ランダムアクセスのために割り当てられた専用ランダムアクセスチャネルリソースがないと決定すると、
４１６において、ターゲットセル（セルＢ）のための追跡されたビームのリスト中のｋ番目の最良のビームの品質がしきい値よりも大きいかどうかを決定することであって、ｋ番目の最良のビームは、専用ランダムアクセスチャネルリソースが割り当てられたビームであり、ｋ番目の最良のビームの品質がしきい値よりも大きい場合、ターゲットセルの選択されたビームがｋ番目の最良のビームである、ｋ番目の最良のビームの品質がしきい値よりも大きいかどうかを決定すること。
【０１１１】
無線アクセスノード１４は、たとえば、設定モジュールなど、無線通信デバイス１２中のモジュール３４のうちの１つによって、ｋ番目の最良のビームの品質がしきい値よりも大きい場合、４１８において、ｋ番目の最良のビームの専用ランダムアクセスチャネルリソースを使用してｋ番目の最良のビーム上で無競合ランダムアクセスを実施することによって、２１６、３１０、３１４、３２０、３２２、４１０、４１４、４１８、４２０において、選択されたビーム上でランダムアクセスを実施するように、無線通信デバイス１２を設定するようにさらに適合され得る。
【０１１２】
無線アクセスノード１４は、たとえば、設定モジュールなど、無線通信デバイス１２中のモジュール３４のうちの１つによって、ｋ番目の最良のビームの品質がしきい値よりも大きくない場合、４２０において、最良のビームの競合ベースランダムアクセスチャネルリソースを使用して最良のビーム上で競合ベースランダムアクセスを実施することによって、２１６、３１０、３１４、３２０、３２２、４１０、４１４、４１８、４２０において、選択されたビーム上でランダムアクセスを実施するように、無線通信デバイス１２を設定するようにさらに適合され得る。
【０１１３】
例示的な実施形態
これらに限定されないが、本開示のいくつかの例示的な実施形態が以下で与えられる。
【０１１４】
１．無線通信システム（１０）においてソースセルからターゲットセルへのハンドオーバ（たとえば、無線アクセスノード間ハンドオーバ）を実施するための、無線通信デバイス（１２）の動作の方法であって、
各ネイバーセルについて、ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように無線通信デバイス（１２）に命令する、ソース無線アクセスノード（１４−Ａ）からのハンドオーバコマンドを受信すること（２１２、３０６、４０６）であって、ターゲットセル（セルＢ）は、ビーム追跡プロシージャがそれについて実施される１つまたは複数のネイバーセルのうちの１つである、ハンドオーバコマンドを受信すること（２１２、３０６、４０６）と、
ランダムアクセスリソース設定および／あるいは相対または絶対品質しきい値に基づいて、ターゲットセル（セルＢ）のための追跡されたビームのリストからターゲットセル（セルＢ）のビームを選択すること（２１４、３０６、３０８、３１２、３１６、３１８、４０６、４０８、４１２、４１６）と、
選択されたビーム上でランダムアクセスを実施すること（２１６、３１０、３１４、３２０、３２２、４１０、４１４、４１８、４２０）と
を含む、方法。
【０１１５】
２．ターゲットセル（セルＢ）のための追跡されたビームのリストからターゲットセル（セルＢ）のビームを選択すること（２１４、３０６、３０８、３１２、３１６、３１８、４０６、４０８、４１２、４１６）は、
専用ランダムアクセスチャネルリソースが、ターゲットセルのための追跡されたビームのリスト中のビームのいずれについても、無競合ランダムアクセスのために割り当てられない場合、ターゲットセル（セルＢ）のための追跡されたビームのリスト中の最良のビーム（すなわち、最も強いビーム）を選択すること（３０８、４０８）
を含む、実施形態１に記載の方法。
【０１１６】
３．選択されたビーム上でランダムアクセスを実施すること（２１６、３１０、３１４、３２０、３２２、４１０、４１４、４１８、４２０）が、最良のビームの競合ベースランダムアクセスチャネルリソースを使用して最良のビーム上で競合ベースランダムアクセスを実施すること（３１０、４１０）を含む、実施形態２に記載の方法。
【０１１７】
４．ターゲットセル（セルＢ）のための追跡されたビームのリストからターゲットセル（セルＢ）のビームを選択すること（２１４、３０６、３０８、３１２、３１６、３１８、４０６、４０８、４１２、４１６）は、
専用ランダムアクセスチャネルリソースが、ターゲットセルのための追跡されたビームのリスト中の最良のビームについて、無競合ランダムアクセスのために割り当てられる場合、ターゲットセル（セルＢ）のための追跡されたビームのリスト中の最良のビームを選択すること（３０８、４０８）
を含む、実施形態１または２に記載の方法。
【０１１８】
５．選択されたビーム上でランダムアクセスを実施すること（２１６、３１０、３１４３２０、３２２、４１０、４１４、４１８、４２０）が、最良のビームの専用ランダムアクセスチャネルリソースを使用して最良のビーム上で無競合ランダムアクセスを実施すること（３１４、４１４）を含む、実施形態４に記載の方法。
【０１１９】
６．ターゲットセル（セルＢ）のための追跡されたビームのリストからターゲットセル（セルＢ）のビームを選択すること（２１４、３０６、３０８、３１２、３１６、３１８、４０６、４０８、４１２、４１６）は、
ターゲットセル（セルＢ）のための追跡されたビームのリスト中の最良のビームについて、無競合ランダムアクセスのために割り当てられた専用ランダムアクセスチャネルリソースがないと決定すること（ステップ３１２、ＮＯ）と、
ターゲットセル（セルＢ）のための追跡されたビームのリスト中の最良のビームについて、無競合ランダムアクセスのために割り当てられた専用ランダムアクセスチャネルリソースがないと決定すると、
ターゲットセル（セルＢ）のための追跡されたビームのリスト中の最良のビームの品質と、ターゲットセル（セルＢ）のための追跡されたビームのリスト中のｋ番目の最良のビームの品質との間の差異を決定すること（３１６）であって、ｋ番目の最良のビームは、専用ランダムアクセスチャネルリソースが割り当てられたビームである、差異を決定すること（３１６）と、
差異がしきい値よりも小さいかどうかを決定すること（３１８）であって、差異がしきい値よりも小さい場合、ターゲットセルの選択されたビームがｋ番目の最良のビームである、差異がしきい値よりも小さいかどうかを決定すること（３１８）と
を含む、実施形態１、２、または４に記載の方法。
【０１２０】
７．差異がしきい値よりも小さい場合、選択されたビーム上でランダムアクセスを実施すること（２１６、３１０、３１４、３２０、３２２、４１０、４１４、４１８、４２０）が、ｋ番目の最良のビームの専用ランダムアクセスチャネルリソースを使用してｋ番目の最良のビーム上で無競合ランダムアクセスを実施すること（３２０）を含む、実施形態６に記載の方法。
【０１２１】
８．差異がしきい値よりも小さくない場合、選択されたビーム上でランダムアクセスを実施すること（２１６、３１０、３１４、３２０、３２２、４１０、４１４、４１８、４２０）が、最良のビームの競合ベースランダムアクセスチャネルリソースを使用して最良のビーム上で競合ベースランダムアクセスを実施すること（３２２）を含む、実施形態６または７に記載の方法。
【０１２２】
９．ターゲットセル（セルＢ）のための追跡されたビームのリストからターゲットセル（セルＢ）のビームを選択すること（２１４、３０６、３０８、３１２、３１６、３１８、４０６、４０８、４１２、４１６）は、
ターゲットセル（セルＢ）のための追跡されたビームのリスト中の最良のビームについて、無競合ランダムアクセスのために割り当てられた専用ランダムアクセスチャネルリソースがないと決定すること（ステップ４１２、ＮＯ）と、
ターゲットセル（セルＢ）のための追跡されたビームのリスト中の最良のビームについて、無競合ランダムアクセスのために割り当てられた専用ランダムアクセスチャネルリソースがないと決定すると、
ターゲットセル（セルＢ）のための追跡されたビームのリスト中のｋ番目の最良のビームの品質がしきい値よりも大きいかどうかを決定すること（４１６）であって、ｋ番目の最良のビームは、専用ランダムアクセスチャネルリソースが割り当てられたビームであり、ｋ番目の最良のビームの品質がしきい値よりも大きい場合、ターゲットセルの選択されたビームがｋ番目の最良のビームである、ｋ番目の最良のビームの品質がしきい値よりも大きいかどうかを決定すること（４１６）と
を含む、実施形態１、２、または４に記載の方法。
【０１２３】
１０．ｋ番目の最良のビームの品質がしきい値よりも大きい場合、選択されたビーム上でランダムアクセスを実施すること（２１６、３１０、３１４、３２０、３２２、４１０、４１４、４１８、４２０）が、ｋ番目の最良のビームの専用ランダムアクセスチャネルリソースを使用してｋ番目の最良のビーム上で無競合ランダムアクセスを実施すること（４１８）を含む、実施形態９に記載の方法。
【０１２４】
１１．ｋ番目の最良のビームの品質がしきい値よりも大きくない場合、選択されたビーム上でランダムアクセスを実施すること（２１６、３１０、３１４、３２０、３２２、４１０、４１４、４１８、４２０）が、最良のビームの競合ベースランダムアクセスチャネルリソースを使用して最良のビーム上で競合ベースランダムアクセスを実施すること（４２０）を含む、実施形態９または１０に記載の方法。
【０１２５】
１２．無線通信システム（１０）においてソースセルからターゲットセルへのハンドオーバ（たとえば、無線アクセスノード間ハンドオーバ）を実施する無線通信デバイス（１２）であって、無線通信デバイス（１２）は、
各ネイバーセルについて、ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように無線通信デバイス（１２）に命令する、ソース無線アクセスノード（１４−Ａ）からのハンドオーバコマンドを受信することであって、ターゲットセル（セルＢ）は、ビーム追跡プロシージャがそれについて実施される１つまたは複数のネイバーセルのうちの１つである、ハンドオーバコマンドを受信することと、
ランダムアクセスリソース設定および／あるいは相対または絶対品質しきい値に基づいて、ターゲットセル（セルＢ）のための追跡されたビームのリストからターゲットセル（セルＢ）のビームを選択することと、
選択されたビーム上でランダムアクセスを実施することと
を行うように適合された、無線通信デバイス（１２）。
【０１２６】
１３．無線通信デバイス（１２）が、実施形態２から１１のいずれか１つに記載の方法を実施するようにさらに適合された、実施形態１２に記載の無線通信デバイス（１２）。
【０１２７】
１４．無線通信システム（１０）においてソースセルからターゲットセルへのハンドオーバ（たとえば、無線アクセスノード間ハンドオーバ）を実施する無線通信デバイス（１２）であって、
少なくとも１つの送信機（２８）および少なくとも１つの受信機（３０）と
少なくとも１つの送信機（２８）および少なくとも１つの受信機（３０）に関連する回路要素（２０）と
を備え、回路要素（２０）は、
各ネイバーセルについて、ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように無線通信デバイス（１２）に命令する、ソース無線アクセスノード（１４−Ａ）からのハンドオーバコマンドを受信することであって、ターゲットセル（セルＢ）は、ビーム追跡プロシージャがそれについて実施される１つまたは複数のネイバーセルのうちの１つである、ハンドオーバコマンドを受信することと、
ランダムアクセスリソース設定および／あるいは相対または絶対品質しきい値に基づいて、ターゲットセル（セルＢ）のための追跡されたビームのリストからターゲットセル（セルＢ）のビームを選択することと、
選択されたビーム上でランダムアクセスを実施することと
を行うように動作可能である、
無線通信デバイス（１２）。
【０１２８】
１５．回路要素（２０）が、実施形態２から１１のいずれか１つに記載の方法を実施するようにさらに動作可能である、実施形態１２に記載の無線通信デバイス（１２）。
【０１２９】
１６．無線通信システム（１０）においてソースセルからターゲットセルへのハンドオーバ（たとえば、無線アクセスノード間ハンドオーバ）を実施する無線通信デバイス（１２）であって、
各ネイバーセルについて、ネイバーセルのための追跡されたビームのリストを与えるために、１つまたは複数のネイバーセルについてビーム追跡プロシージャを実施するように動作可能なビーム追跡プロシージャ実施モジュール（３４）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように無線通信デバイス（１２）に命令する、ソース無線アクセスノード（１４−Ａ）からのハンドオーバコマンドを受信するように動作可能な受信モジュール（３４）であって、ターゲットセル（セルＢ）は、ビーム追跡プロシージャがそれについて実施される１つまたは複数のネイバーセルのうちの１つである、受信モジュール（３４）と、
ランダムアクセスリソース設定および／あるいは相対または絶対品質しきい値に基づいて、ターゲットセル（セルＢ）のための追跡されたビームのリストからターゲットセル（セルＢ）のビームを選択するように動作可能な選択モジュール（３４）と、
選択されたビーム上でランダムアクセスを実施するように動作可能なランダムアクセス実施モジュール（３４）と
を備える、無線通信デバイス（１２）。
【０１３０】
１７．少なくとも１つのプロセッサ上で実行されたとき、少なくとも１つのプロセッサに、実施形態１から１１のいずれか１つに記載の方法を行わせる命令を備える、コンピュータプログラム。
【０１３１】
１８．実施形態１７に記載のコンピュータプログラムを含んでいるキャリアであって、本キャリアが、電子信号、光信号、無線信号、またはコンピュータ可読記憶媒体のうちの１つである、キャリア。
【０１３２】
本開示全体にわたって以下の頭字語が使用される。
３ＧＰＰ  第３世代パートナーシッププロジェクト
５Ｇ  第５世代
ＡＣＫ  肯定応答
ＡＳＩＣ  特定用途向け集積回路
ＣＢＲＡ  競合ベースランダムアクセス
ＣＦＲＡ  無競合ランダムアクセス
ＣＰＵ  中央処理ユニット
ＣＳＩ−ＲＳ  チャネル状態情報参照信号
ｄＢ  デシベル
ＤＭＲＳ  復調用参照信号
ＤＳＰ  デジタル信号プロセッサ
ｅＮＢ  拡張またはエボルブドノードＢ
ＦＰＧＡ  フィールドプログラマブルゲートアレイ
ｇＮＢ  新しい無線基地局
ＩＤ  識別情報
ＬＴＥ  Ｌｏｎｇ  Ｔｅｒｍ  Ｅｖｏｌｕｔｉｏｎ
ＭＭＥ  モビリティ管理エンティティ
ＭＴＣ  マシン型通信
ＮＲ  新しい無線
Ｐ−ＧＷ  パケットデータネットワークゲートウェイ
ＰＳＳ  １次同期信号
ＲＡＣＨ  ランダムアクセスチャネル
ＲＲＣ  無線リソース制御
ＲＳＲＰ  参照信号受信電力
ＲＳＲＱ  参照信号受信品質
ＳＣＥＦ  サービス能力公開機能
ＳＩＮＲ  信号対干渉プラス雑音比
ＳＳ  同期信号
ＳＳＳ  ２次同期信号
ＴＳ  技術仕様
ＵＥ  ユーザ機器
【０１３３】
当業者は、本開示の実施形態に対する改善および変更を認識されよう。すべてのそのような改善および変更は、本明細書で開示される概念の範囲内で考慮される。
【図１】
2020526082.tif 000004
【図２】
2020526082.tif 000005
【図３ａ】
2020526082.tif 000006
【図３ｂ】
2020526082.tif 000007
【図４】
2020526082.tif 000008
【図５ａ】
2020526082.tif 000009
【図５ｂ】
2020526082.tif 000010
【図６】
2020526082.tif 000011
【図７】
2020526082.tif 000012
【図８】
2020526082.tif 000013
【図９】
2020526082.tif 000014
【図１０】
2020526082.tif 000015
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
無線通信システム（１０）においてソースセルからターゲットセルへのハンドオーバを実施するための、無線通信デバイス（１２）の動作の方法であって、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すること（２１２、３０６、４０６）であって、前記ターゲットセル（セルＢ）は、前記ビーム追跡プロシージャがそれについて実施される前記１つまたは複数のネイバーセルのうちの１つである、ハンドオーバコマンドを受信すること（２１２、３０６、４０６）と、
ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を含み、
前記選択すること（２１４、３０６、３０８、３１２、３１６、３１８、４０６、４０８、４１２、４１６）は、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を含む、
方法。
【請求項２】
前記ｋ番目の最良のビームの前記品質が前記しきい値よりも大きい場合、前記選択されたビーム上でランダムアクセスを実施すること（２１６、３１０、３１４、３２０、３２２、４１０、４１４、４１８、４２０）が、前記ｋ番目の最良のビームの前記専用ランダムアクセスチャネルリソースを使用して前記ｋ番目の最良のビーム上で無競合ランダムアクセスを実施すること（４１８）を含む、請求項１に記載の方法。
【請求項３】
前記ｋ番目の最良のビームの前記品質が前記しきい値よりも大きくない場合、前記選択されたビーム上でランダムアクセスを実施すること（２１６、３１０、３１４、３２０、３２２、４１０、４１４、４１８、４２０）が、前記最良のビームの競合ベースランダムアクセスチャネルリソースを使用して前記最良のビーム上で前記競合ベースランダムアクセスを実施すること（４２０）を含む、請求項１または２に記載の方法。
【請求項４】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
専用ランダムアクセスチャネルリソースが、前記ターゲットセルのための追跡されたビームの前記リスト中の前記ビームのいずれについても、無競合ランダムアクセスのために割り当てられない場合、前記ターゲットセル（セルＢ）のための追跡されたビームの前記リスト中の前記最良のビームを選択すること（３０８、４０８）
を含む、請求項１から３のいずれか一項に記載の方法。
【請求項５】
前記選択されたビーム上でランダムアクセスを実施すること（２１６、３１０、３１４、３２０、３２２、４１０、４１４、４１８、４２０）が、前記最良のビームの競合ベースランダムアクセスチャネルリソースを使用して前記最良のビーム上で競合ベースランダムアクセスを実施すること（３１０、４１０）を含む、請求項４に記載の方法。
【請求項６】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
専用ランダムアクセスチャネルリソースが、前記ターゲットセルのための追跡されたビームの前記リスト中の前記最良のビームについて、無競合ランダムアクセスのために割り当てられる場合、前記ターゲットセル（セルＢ）のための追跡されたビームの前記リスト中の前記最良のビームを選択すること（３０８、４０８）
を含む、請求項１から５のいずれか一項に記載の方法。
【請求項７】
前記選択されたビーム上でランダムアクセスを実施すること（２１６、３１０、３１４、３２０、３２２、４１０、４１４、４１８、４２０）が、前記最良のビームの前記専用ランダムアクセスチャネルリソースを使用して前記最良のビーム上で無競合ランダムアクセスを実施すること（３１４、４１４）を含む、請求項６に記載の方法。
【請求項８】
前記ターゲットセル（セルＢ）のための追跡されたビームの前記リストから前記ターゲットセル（セルＢ）の前記ビームを選択すること（２１４、３０６、３０８、３１２、３１６、３１８、４０６、４０８、４１２、４１６）は、
前記ターゲットセル（セルＢ）のための追跡されたビームの前記リスト中の前記最良のビームについて、無競合ランダムアクセスのために割り当てられた専用ランダムアクセスチャネルリソースがないと決定すること（ステップ３１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中の前記最良のビームの品質と、前記ターゲットセル（セルＢ）のための追跡されたビームの前記リスト中のｋ番目の最良のビームの品質との間の差異を決定すること（３１６）であって、前記ｋ番目の最良のビームは、専用ランダムアクセスチャネルリソースが割り当てられたビームである、差異を決定すること（３１６）と、
前記差異がしきい値よりも小さいかどうかを決定すること（３１８）であって、前記差異が前記しきい値よりも小さい場合、前記ターゲットセルの前記選択されたビームが前記ｋ番目の最良のビームである、前記差異がしきい値よりも小さいかどうかを決定すること（３１８）と
を含む、請求項４から７のいずれか一項に記載の方法。
【請求項９】
前記差異が前記しきい値よりも小さい場合、前記選択されたビーム上でランダムアクセスを実施すること（２１６、３１０、３１４、３２０、３２２、４１０、４１４、４１８、４２０）が、前記ｋ番目の最良のビームの前記専用ランダムアクセスチャネルリソースを使用して前記ｋ番目の最良のビーム上で無競合ランダムアクセスを実施すること（３２０）を含む、請求項８に記載の方法。
【請求項１０】
前記差異が前記しきい値よりも小さくない場合、前記選択されたビーム上でランダムアクセスを実施すること（２１６、３１０、３１４、３２０、３２２、４１０、４１４、４１８、４２０）が、前記最良のビームの前記競合ベースランダムアクセスチャネルリソースを使用して前記最良のビーム上で競合ベースランダムアクセスを実施すること（３２２）を含む、請求項８または９に記載の方法。
【請求項１１】
前記品質しきい値が、相対品質しきい値および絶対品質しきい値のうちのいずれか１つである、請求項１から１０のいずれか一項に記載の方法。
【請求項１２】
無線通信システム（１０）においてソースセルからターゲットセルへのハンドオーバを実施する無線通信デバイス（１２）であって、前記無線通信デバイス（１２）は、
各ネイバーセルについて、前記ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信することであって、前記ターゲットセル（セルＢ）は、前記ビーム追跡プロシージャがそれについて実施される前記１つまたは複数のネイバーセルのうちの１つである、ハンドオーバコマンドを受信することと、
ランダムアクセスリソース設定および／または品質しきい値に基づいて、前記ターゲットセル（セルＢ）のための追跡されたビームの前記リストから前記ターゲットセル（セルＢ）のビームを選択することと、
前記選択されたビーム上でランダムアクセスを実施することと
を行うように適合され、前記無線通信デバイス（１２）は、
前記ターゲットセル（セルＢ）のための追跡されたビームの前記リスト中の最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定することであって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定することと
によって、前記ターゲットセル（セルＢ）のための追跡されたビームの前記リストから前記ターゲットセル（セルＢ）の前記ビームを選択するようにさらに適合された、
無線通信デバイス（１２）。
【請求項１３】
前記無線通信デバイス（１２）は、前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施することによって、前記選択されたビーム上でランダムアクセスを実施するようにさらに適合された、請求項１２に記載の無線通信デバイス（１２）。
【請求項１４】
前記無線通信デバイス（１２）は、前記ｋ番目の最良のビームの前記品質が前記しきい値よりも大きくない場合、前記最良のビームの前記競合ベースランダムアクセスチャネルリソースを使用して前記最良のビーム上で競合ベースランダムアクセスを実施すること（４２０）によって、前記選択されたビーム上でランダムアクセスを実施するようにさらに適合された、請求項１２または１３に記載の無線通信デバイス（１２）。
【請求項１５】
前記無線通信デバイス（１２）は、
専用ランダムアクセスチャネルリソースが、前記ターゲットセルのための追跡されたビームの前記リスト中の前記ビームのいずれについても、無競合ランダムアクセスのために割り当てられない場合、前記ターゲットセル（セルＢ）のための追跡されたビームの前記リスト中の前記最良のビームを選択すること
によって、前記ターゲットセル（セルＢ）のための追跡されたビームの前記リストから前記ターゲットセル（セルＢ）の前記ビームを選択するようにさらに適合された、請求項１２から１４のいずれか一項に記載の無線通信デバイス（１２）。
【請求項１６】
前記無線通信デバイス（１２）が、前記最良のビームの競合ベースランダムアクセスチャネルリソースを使用して前記最良のビーム上で競合ベースランダムアクセスを実施することによって、前記選択されたビーム上でランダムアクセスを実施するようにさらに適合された、請求項１５に記載の無線通信デバイス（１２）。
【請求項１７】
前記無線通信デバイス（１２）は、
専用ランダムアクセスチャネルリソースが、前記ターゲットセルのための追跡されたビームの前記リスト中の前記最良のビームについて、無競合ランダムアクセスのために割り当てられる場合、前記ターゲットセル（セルＢ）のための追跡されたビームの前記リスト中の前記最良のビームを選択すること
によって、前記ターゲットセル（セルＢ）のための追跡されたビームの前記リストから前記ターゲットセル（セルＢ）の前記ビームを選択するようにさらに適合された、請求項１２から１６のいずれか一項に記載の無線通信デバイス（１２）。
【請求項１８】
前記無線通信デバイス（１２）が、前記最良のビームの前記専用ランダムアクセスチャネルリソースを使用して前記最良のビーム上で無競合ランダムアクセスを実施することによって、前記選択されたビーム上でランダムアクセスを実施するようにさらに適合された、請求項１７に記載の無線通信デバイス（１２）。
【請求項１９】
前記無線通信デバイス（１２）は、
前記ターゲットセル（セルＢ）のための追跡されたビームの前記リスト中の前記最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中の前記最良のビームの品質と、前記ターゲットセル（セルＢ）のための追跡されたビームの前記リスト中のｋ番目の最良のビームの品質との間の差異を決定することであって、前記ｋ番目の最良のビームは、専用ランダムアクセスチャネルリソースが割り当てられたビームである、差異を決定することと、
前記差異がしきい値よりも小さいかどうかを決定することであって、前記差異が前記しきい値よりも小さい場合、前記ターゲットセルの前記選択されたビームが前記ｋ番目の最良のビームである、前記差異がしきい値よりも小さいかどうかを決定することと
によって、前記ターゲットセル（セルＢ）のための追跡されたビームの前記リストから前記ターゲットセル（セルＢ）の前記ビームを選択するようにさらに適合された、請求項１５から１８のいずれか一項に記載の無線通信デバイス（１２）。
【請求項２０】
前記無線通信デバイス（１２）は、前記差異が前記しきい値よりも小さい場合、前記ｋ番目の最良のビームの前記専用ランダムアクセスチャネルリソースを使用して前記ｋ番目の最良のビーム上で無競合ランダムアクセスを実施することによって、前記選択されたビーム上でランダムアクセスを実施するようにさらに適合された、請求項１９に記載の無線通信デバイス（１２）。
【請求項２１】
前記無線通信デバイス（１２）は、前記差異が前記しきい値よりも小さくない場合、前記最良のビームの前記競合ベースランダムアクセスチャネルリソースを使用して前記最良のビーム上で競合ベースランダムアクセスを実施することによって、前記選択されたビーム上でランダムアクセスを実施するようにさらに適合された、請求項１９または２０に記載の無線通信デバイス（１２）。
【請求項２２】
前記品質しきい値が、相対品質しきい値および絶対品質しきい値のうちのいずれか１つである、請求項１２から２１のいずれか一項に記載の無線通信デバイス（１２）。
【請求項２３】
無線通信デバイス（１２）であって、
少なくとも１つの送信機（２８）および少なくとも１つの受信機（３０）と
前記少なくとも１つの送信機（２８）および前記少なくとも１つの受信機（３０）に関連する回路要素（２０）と
を備え、前記回路要素（２０）は、
各ネイバーセルについて、前記ネイバーセルのための追跡されたビームのリストを与えるために、１つまたは複数のネイバーセルについてビーム追跡プロシージャを実施することと、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信することであって、前記ターゲットセル（セルＢ）は、前記ビーム追跡プロシージャがそれについて実施される前記１つまたは複数のネイバーセルのうちの１つである、ハンドオーバコマンドを受信することと、
ランダムアクセスリソース設定および／または品質しきい値に基づいて、前記ターゲットセル（セルＢ）のための追跡されたビームの前記リストから前記ターゲットセル（セルＢ）のビームを選択することと、
前記選択されたビーム上でランダムアクセスを実施することと
を行うように動作可能であり、前記回路要素（２０）は、
前記ターゲットセル（セルＢ）のための追跡されたビームの前記リスト中の最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定することであって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定することと
によって、前記ターゲットセル（セルＢ）のための追跡されたビームの前記リストから前記ターゲットセル（セルＢ）の前記ビームを選択するようにさらに動作可能である、
無線通信デバイス（１２）。
【請求項２４】
前記品質しきい値が、相対品質しきい値および絶対品質しきい値のうちのいずれか１つである、請求項２３に記載の無線通信デバイス（１２）。
【請求項２５】
前記回路要素（２０）が、請求項１から１１のいずれか一項に記載の方法を実施するようにさらに動作可能である、請求項２３または２４に記載の無線通信デバイス（１２）。
【請求項２６】
無線通信システム（１０）においてソースセルからターゲットセルへのハンドオーバ（たとえば、無線アクセスノード間ハンドオーバ）を実施する無線通信デバイス（１２）であって、
各ネイバーセルについて、前記ネイバーセルのための追跡されたビームのリストを与えるために、１つまたは複数のネイバーセルについてビーム追跡プロシージャを実施するように動作可能なビーム追跡プロシージャ実施モジュール（３４）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信するように動作可能な受信モジュール（３４）であって、前記ターゲットセル（セルＢ）は、前記ビーム追跡プロシージャがそれについて実施される前記１つまたは複数のネイバーセルのうちの１つである、受信モジュール（３４）と、
ランダムアクセスリソース設定および／または品質しきい値に基づいて、前記ターゲットセル（セルＢ）のための追跡されたビームの前記リストから前記ターゲットセル（セルＢ）のビームを選択するように動作可能な選択モジュール（３４）と、
前記選択されたビーム上でランダムアクセスを実施するように動作可能なランダムアクセス実施モジュール（３４）と
を備え、前記無線通信デバイス（１２）は、
前記ターゲットセル（セルＢ）のための追跡されたビームの前記リスト中の最良のビームについて、無競合ランダムアクセスのために割り当てられた専用ランダムアクセスチャネルリソースがないと決定することと、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定することであって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定することと
によって、前記ターゲットセル（セルＢ）のための追跡されたビームの前記リストから前記ターゲットセル（セルＢ）の前記ビームを選択するようにさらに適合された、無線通信デバイス（１２）。
【請求項２７】
前記品質しきい値が、相対品質しきい値および絶対品質しきい値のうちのいずれか１つである、請求項２６に記載の無線通信デバイス（１２）。
【請求項２８】
少なくとも１つのプロセッサ上で実行されたとき、前記少なくとも１つのプロセッサに、請求項１から１１のいずれか一項に記載の方法を行わせる命令を備える、コンピュータプログラム。
【請求項２９】
請求項２８に記載のコンピュータプログラムを含んでいるキャリアであって、前記キャリアが、電子信号、光信号、無線信号、またはコンピュータ可読記憶媒体のうちの１つである、キャリア。
【請求項３０】
無線通信システム（１０）においてソースセルからターゲットセルへの無線通信デバイス（１２）のハンドオーバを実施するための、無線アクセスノード（１４）の動作の方法であって、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線通信デバイス（１２）を設定し、前記ターゲットセル（セルＢ）のための追跡されたビームの前記リストから前記ターゲットセル（セルＢ）の前記ビームを選択する（２１４、３０６、３０８、３１２、３１６、３１８、４０６、４０８、４１２、４１６）ように前記無線通信デバイス（１２）を設定することは、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を行うように前記無線通信デバイス（１２）を設定することをさらに含む、
方法。
【請求項３１】
前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施すること（４１８）によって、前記選択されたビーム上でランダムアクセスを実施する（２１６、３１０、３１４、３２０、３２２、４１０、４１４、４１８、４２０）ように前記無線通信デバイス（１２）を設定することをさらに含む、請求項３０に記載の方法。
【請求項３２】
前記ｋ番目の最良のビームの前記品質が前記しきい値よりも大きくない場合、前記最良のビームの競合ベースランダムアクセスチャネルリソースを使用して前記最良のビーム上で前記競合ベースランダムアクセスを実施すること（４２０）によって、前記選択されたビーム上でランダムアクセスを実施する（２１６、３１０、３１４、３２０、３２２、４１０、４１４、４１８、４２０）ように前記無線通信デバイス（１２）を設定することをさらに含む、請求項３０または３１に記載の方法。
【請求項３３】
無線通信システム（１０）においてソースセルからターゲットセルへの無線通信デバイス（１２）のハンドオーバを実施する無線アクセスノード（１４）であって、前記無線アクセスノード（１４）が、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線通信デバイス（１２）を設定するように適合され、前記無線アクセスノード（１４）は、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を行うように前記無線通信デバイス（１２）を設定することによって、前記ターゲットセル（セルＢ）のための追跡されたビームの前記リストから前記ターゲットセル（セルＢ）の前記ビームを選択する（２１４、３０６、３０８、３１２、３１６、３１８、４０６、４０８、４１２、４１６）ように前記無線通信デバイス（１２）を設定するようにさらに適合された、
無線アクセスノード（１４）。
【請求項３４】
前記ｋ番目の最良のビームの前記品質が前記しきい値よりも大きい場合、前記ｋ番目の最良のビームの前記専用ランダムアクセスチャネルリソースを使用して前記ｋ番目の最良のビーム上で無競合ランダムアクセスを実施すること（４１８）によって、前記選択されたビーム上でランダムアクセスを実施する（２１６、３１０、３１４、３２０、３２２、４１０、４１４、４１８、４２０）ように前記無線通信デバイス（１２）を設定するようにさらに適合された、請求項３３に記載の無線アクセスノード（１４）。
【請求項３５】
前記ｋ番目の最良のビームの前記品質が前記しきい値よりも大きくない場合、前記最良のビームの前記競合ベースランダムアクセスチャネルリソースを使用して前記最良のビーム上で競合ベースランダムアクセスを実施すること（４２０）によって、前記選択されたビーム上でランダムアクセスを実施する（２１６、３１０、３１４、３２０、３２２、４１０、４１４、４１８、４２０）ように前記無線通信デバイス（１２）を設定するようにさらに適合された、請求項３３または３４に記載の無線アクセスノード（１４）。
【請求項３６】
無線アクセスノード（１４）であって、
少なくとも１つの送信機（４８）および少なくとも１つの受信機（５０）と、
前記少なくとも１つの送信機（４８）および前記少なくとも１つの受信機（５０）に関連する回路要素と
を備え、前記回路要素が、
各ネイバーセルについて、前記ネイバーセルのための追跡されたビームのリストを与えるために、１つまたは複数のネイバーセルについてビーム追跡プロシージャを実施すること（２０２、３０２、４０２）と、
ソース無線アクセスノード（１４−Ａ）によってサービングされるソースセル（セルＡ）からターゲット無線アクセスノード（１４−Ｂ）によってサービングされるターゲットセル（セルＢ）へのハンドオーバを実施するように前記無線通信デバイス（１２）に命令する、前記ソース無線アクセスノード（１４−Ａ）からのハンドオーバコマンドを受信すると、ランダムアクセスリソース設定および／または品質しきい値に基づいて、前記ターゲットセル（セルＢ）のための追跡されたビームの前記リストから前記ターゲットセル（セルＢ）のビームを選択すること（２１４、３０６、３０８、３１２、３１６、３１８、４０６、４０８、４１２、４１６）と、
前記選択されたビーム上でランダムアクセスを実施すること（２１６、３１０、３１４、３２０、３２２、４１０、４１４、４１８、４２０）と
を行うように前記無線通信デバイス（１２）を設定するように動作可能であり、前記回路要素は、
前記ターゲットセル（セルＢ）のための追跡されたビームの前記リスト中の最良のビームについて、無競合ランダムアクセスのために割り当てられた専用ランダムアクセスチャネルリソースがないと決定すること（ステップ４１２、ＮＯ）と、
前記ターゲットセル（セルＢ）のための追跡されたビームの前記リスト中の前記最良のビームについて、無競合ランダムアクセスのために割り当てられた専用ランダムアクセスチャネルリソースがないと決定すると、
前記ターゲットセル（セルＢ）のための追跡されたビームの前記リスト中のｋ番目の最良のビームの品質がしきい値よりも大きいかどうかを決定すること（４１６）であって、前記ｋ番目の最良のビームは、専用ランダムアクセスチャネルリソースが割り当てられたビームであり、前記ｋ番目の最良のビームの前記品質が前記しきい値よりも大きい場合、前記ターゲットセルの前記選択されたビームが前記ｋ番目の最良のビームである、ｋ番目の最良のビームの品質がしきい値よりも大きいかどうかを決定すること（４１６）と
を行うように前記無線通信デバイス（１２）を設定することによって、前記ターゲットセル（セルＢ）のための追跡されたビームの前記リストから前記ターゲットセル（セルＢ）の前記ビームを選択する（２１４、３０６、３０８、３１２、３１６、３１８、４０６、４０８、４１２、４１６）ように前記無線通信デバイス（１２）を設定するように動作可能である、
無線アクセスノード（１４）。
【請求項３７】
前記回路要素（２０）が、請求項３０から３２のいずれか一項に記載の方法を実施するようにさらに動作可能である、請求項３６に記載の無線アクセスノード（１４）。
【国際調査報告】
2020526082.tif 000016
2020526082.tif 000017
2020526082.tif 000018